(57)【要約】      （修正有）【課題】任意の寸法転写物を転写する態様と、一定寸法ずつ連続的に転写物を転写可能な態様とを併せて実現する転写具を提供する。【解決手段】使用状態において補助ローラを回動させることにより紙片Ｐを反転写方向へ一定寸法で送り出す徐送機構Ｘと、該徐送機構Ｘを作用させた徐送状態とこの徐送状態を解除した通常使用状態ｙとを使用状態のままで選択的に切り換える切換機構Ｚとして機能する操作部を具備している。【選択図】図７
2010264759.tif 000002
【特許請求の範囲】
【請求項１】
転写物を紙等の転写対象物に転写する際に用いられる転写具において、
少なくとも前記転写物を前記転写対象物に接触させ得る転写ヘッドを有する転写具本体を具備し、前記転写ヘッドが、前記転写物の前記転写対象物への転写時に前記転写対象物に接触し且つ転写物を転写する部位である転写面を有し、通常使用状態では前記転写対象物に対して前記転写面を接触させて所定の転写方向へ移動させることにより前記転写物を前記転写対象物に転写するように構成したものであって、
前記転写面を前記転写対象物に対し停止させ且つ圧着させた状態で該転写面を通じて転写物を転写対象物へ一定寸法で送り出す徐送機構と、該徐送機構を作用させた徐送状態とこの徐送状態を解除した前記通常使用状態とを前記転写面を転写対象物に接触させたままで選択的に切り換える切換機構とを具備していることを特徴とする転写具。
【請求項２】
前記転写ヘッドが転写時に回動し得る前記転写面を有してなる転写ローラを具備するものである請求項１記載の転写具。
【請求項３】
前記徐送機構が、前記転写ローラを外力により一定角度回動させることにより、前記転写物を前記転写対象物へ一定寸法で送り出し得るものである請求項２記載の転写具。
【請求項４】
前記切換機構が、前記徐送機構に依存して前記転写ローラを一定角度回動させ得る徐送状態と、前記転写ローラが前記徐送機構に依存せずに回動し得る通常使用状態とを切り換えるものである請求項３記載の転写具。
【請求項５】
転写時に前記転写ヘッドの転写面に前記転写対象物の対象面を接触させた状態で前記転写対象物の前記対象面に対する裏面から当接する裏当て面を有する回動可能な補助ローラを設けている請求項１、２、３又は４記載の転写具。
【請求項６】
前記補助ローラを前記転写ヘッドの転写面に対向する位置に設けている請求項５記載の転写具。
【請求項７】
前記補助ローラの裏当て面を前記転写面と対向させて、該裏当て面と前記転写面とを相対的に接離するように構成している請求項５又は６記載の転写具。
【請求項８】
前記徐送機構が、前記補助ローラを外力により一定角度回動させて、転写対象物を前記転写方向の逆方向である反転写方向へ一定寸法移動させることにより前記転写ヘッドの転写面から前記転写物を引き出す結果前記転写物を前記転写対象物へ一定寸法で送り出し得るものである請求項５、６又は７記載の転写具。
【請求項９】
前記切換機構が、前記徐送機構に依存して前記補助ローラを一定角度回動させ得る徐送状態と、前記徐送機構に依存せずに前記補助ローラが回動し得る通常使用状態とを切り換えるものである請求項８記載の転写具。
【請求項１０】
前記転写面を前記転写対象物に当接させた状態において前記転写対象物の前記転写面と接する箇所に対応する裏面から前記転写対象物に接し得る転写対象物受け台を具備してなり、
該転写対象物受け台と前記転写具本体との間に前記転写対象物が挿通可能な挿通空間を形成し、
該挿通空間内に少なくとも前記転写面が前記転写具本体より表出するように前記転写ヘッドを配置するとともに、前記裏当て面を前記転写対象物受け台より表出するように前記補助ローラを配置している請求項５、６、７、８又は９記載の転写具。
【請求項１１】
前記徐送機構が、前記補助ローラを外力により一定角度回動させて、転写対象物を前記転写方向の逆方向である反転写方向へ一定寸法移動させることにより前記転写ヘッドの転写面から前記転写物を引き出す結果前記転写物を前記転写対象物へ一定寸法で送り出し得るものであって、
前記補助ローラと、前記補助ローラを外力により一定角度回動させ得る操作部とを少なくとも有し、該操作部を前記転写対象物受け台に設けている請求項１０記載の転写具。
【請求項１２】
前記切換機構が、前記操作部が前記補助ローラを一定角度回動させ得る徐送状態と、前記操作部に依存せずに前記補助ローラが回動し得る通常使用状態とを切り換えるものである請求項１１記載の転写具。
【請求項１３】
前記補助ローラが、前記転写対象物に当接し得る補助ローラ本体と、該補助ローラ本体と共に回動するピニオンとを具備しており、前記操作部が前記ピニオンを一定角度回動させることにより前記補助ローラを一定角度回動させるものである請求項１１又は１２記載の転写具。
【請求項１４】
前記操作部が、前記転写対象物受け台に動作可能に取り付けられた操作レバーと、
該操作レバーの動作に追従して前記ピニオンに係合し得る遊動係合子とを具備しているものであって、
該遊動係合子に、前記ピニオンに係合して前記補助ローラの裏当て面を反転写方向へ回動させ得るラック部分を形成し、
前記遊動係合子が、該ラック部分が前記ピニオンに係合する係合姿勢と前記ラック部分が前記ピニオンに対して離間した退避姿勢とをとり得るように構成している請求項１３記載の転写具。
【請求項１５】
前記操作レバーが、その一端部を前記転写対象物受け台に対して回動可能に枢着され、他端部に前記遊動係合子を支持しているものであって、
前記操作レバーの一端部を中心とする前記他端部及び前記遊動係合子の回動方向を前記ピニオンの接線方向に略合致させている請求項１４記載の転写具。
【請求項１６】
前記切換機構が、前記遊動係合子が係合する前記係合姿勢をとった徐送状態と、前記遊動係合子が前記退避姿勢をとった通常使用状態とを切り換えるものである請求項１４又は１５記載の転写具。
【請求項１７】
前記操作レバーが、その一端部を前記転写対象物受け台に対して回動可能に枢着され、他端部に前記遊動係合子を支持しているものであって、
前記切換機構を、前記ピニオンが前記補助ローラの裏当て面を前記反転写方向に回動させるべく前記操作レバーを所定の操作方向へ回動させる場合に前記遊動係合子が係合姿勢をとる一方、前記操作レバーを前記操作方向とは逆方向へ回動させる場合に前記遊動係合子が退避姿勢をとるように構成している請求項１４、１５又は１６記載の転写具。
【請求項１８】
前記操作レバーが、その一端部を前記転写対象物受け台に対して回動可能に枢着され、他端部に前記遊動係合子を支持しているものであって、
前記操作レバーの他端部に前記遊動係合子を支持する支持軸を設けるとともに前記遊動係合子に前記支持軸に支持される姿勢切換孔を形成し、該姿勢切換孔を長孔としてその一端側に係合位置を設定するとともに他端側に退避位置を設定し、
前記切換機構を、前記ピニオンが前記補助ローラの裏当て面を前記反転写方向に回動させるよう前記操作レバーを所定の操作方向へ回動させる場合に前記支持軸が前記姿勢切換孔における係合位置に位置することにより前記遊動係合子が前記係合姿勢をとるとともに、前記操作レバーを前記操作方向とは逆方向へ回動させる場合に前記支持軸が前記姿勢切換孔における退避位置に位置することにより前記遊動係合子が前記退避姿勢をとるように構成している請求項１４、１５、１６又は１７記載の転写具。
【請求項１９】
前記操作レバーに、前記操作レバーを前記ピニオンが前記補助ローラの裏当て面を前記反転写方向に回動させるように所定の操作方向へ回動させる場合に、弾性変形により前記操作方向とは逆方向へ前記操作レバーを回動させる力を蓄積する弾性変形部位を形成している請求項１４、１５、１６、１７又は１８記載の転写具。
【請求項２０】
前記操作レバーが、その一端部を前記転写対象物受け台に対して回動可能に枢着され、他端部に前記遊動係合子を支持しているものであって、
前記操作レバーの他端部に前記遊動係合子を支持する姿勢切換孔を形成するとともに前記遊動係合子に支持軸を設け、前記姿勢切換孔を長孔としてその一端側に係合位置を設定するとともに他端側に退避位置を設定し、
前記切換機構を、前記ピニオンが前記補助ローラの裏当て面を前記反転写方向に回動させるよう前記操作レバーを所定の操作方向へ回動させる場合に前記支持軸が前記姿勢切換孔における係合位置に位置することにより前記遊動係合子が前記係合姿勢をとるとともに、前記通常使用状態において、前記転写対象物を反転写方向へ移動させることによる前記補助ローラの回転に伴った前記ピニオンの回転により前記ラック部分が前記ピニオンに当接して遊動係合子が反発される場合に前記支持軸が前記姿勢切換孔における退避位置に位置することにより前記遊動係合子が前記退避姿勢をとるように構成している請求項１４、１５、１６、１７又は１９記載の転写具。
【請求項２１】
前記支持軸が前記姿勢切換孔における退避位置に位置する場合に、前記支持軸を係合位置へ移動させる力を蓄積する弾性変形部を前記遊動係合子に形成している請求項１４、１５、１６、１７、１８、１９又は２０記載の転写具。
【請求項２２】
前記ラック部分に前記ピニオンを回動させる方向に向く伝達面と該伝達面間を接続する傾斜面とを有する伝達歯を複数形成する一方、前記ピニオンが前記伝達面と当接可能な係合面を有する係合歯を複数形成し、
前記徐送機構を、前記遊動係合子が係合姿勢にある徐送状態において、前記伝達歯の伝達面が前記係合歯の係合面に当接する方向へ前記ラック部分の伝達歯が動作した場合に前記遊動係合子が前記係合姿勢をとりながら前記ピニオンが前記ラック部分に連動して回動するように構成し、さらに、
前記切換機構を、前記徐送状態において前記ピニオンの係合歯が動作して該係合歯の先端部が前記伝達歯の傾斜面に当接した場合に、前記ラック部分と前記ピニオンとが離間して前記遊動係合子が係合姿勢から退避姿勢へと切り換わることにより前記ピニオンが前記ラック部分に対して空転する通常使用状態へと切り換わるように構成している請求項１４、１５、１６、１７、１８、１９、２０又は２１記載の転写具。
【請求項２３】
前記操作部が、前記転写対象物受け台に回動可能に取り付けられた操作レバーと、
該操作レバーの動作に追従して前記ピニオンに係合し得る遊動係合子とを具備し、
該遊動係合子に、前記ピニオンに係合して前記補助ローラの裏当て面を反転写方向へ回動させ得るラック部分を形成しているものであって、
前記通常使用状態において前記ラック部分と前記ピニオンとを互いに接触し得ない距離に離間させる解除機構を具備している請求項１３、１４、１５、１６、１７、１８、１９、２０、２１又は２２記載の転写具。
【請求項２４】
前記解除機構が、前記操作レバーの操作にともなって前記遊動係合子を、前記ピニオンと前記ラック部分とが係合する係合姿勢から前記ピニオンと前記ラック部分とが離間した解除姿勢へと移動させるように構成している請求項２３記載の転写具。
【請求項２５】
前記解除機構を、前記操作レバーの回動範囲のうち回動終端付近において前記遊動係合子を前記解除姿勢とするように構成している請求項２４記載の転写具。
【請求項２６】
前記操作レバーに、前記操作レバーを回動させた際に逆方向の弾性反発力を蓄積する弾性部材を取り付けている請求項２３、２４又は２５記載の転写具。
【請求項２７】
前記解除機構が、前記遊動係合子を前記係合姿勢と前記解除姿勢とをとり得るように移動可能に支持し得る遊動係合子支持機構と、前記操作レバーの回動動作を前記係合姿勢から前記解除姿勢への退避動作に変換する動作力変換機構とを具備している請求項２５又は２６記載の転写具。
【請求項２８】
前記遊動係合子支持機構が、前記操作レバー或いは前記遊動係合子の何れか一方に形成され前記遊動係合子を支持する支持軸と、他方に形成され前記遊動係合子が係合姿勢と解除姿勢とをとり得るように移動可能に前記支持軸を支持する姿勢切換部とを有している請求項２７記載の転写具。
【請求項２９】
前記遊動係合子支持機構が、前記遊動係合子が解除姿勢をとる際に係合姿勢へ復帰させる反発力を蓄積する弾性変形部を有している請求項２７又は２８記載の転写具。
【請求項３０】
前記動作力変換機構が、前記転写対象物受け台或いは前記遊動係合子の何れか一方に設けられたカム面と、他方に設けられ前記カム面に摺接し得る付勢部を有している請求項２７、２８又は２９記載の転写具。
【請求項３１】
前記カム面を前記遊動係合子の上面に形成するとともに、前記付勢部を前記転写対象物受け台の下面における前記カム面に対向する位置に設けている請求項３０記載の転写具。
【請求項３２】
前記カム面に、前記操作レバーを前記回動終端に位置付けた際に前記付勢部に当接し前記遊動係合子を前記解除姿勢に位置決めする位置決め部を形成している請求項３０又は３１記載の転写具。
【請求項３３】
転写物を紙等の転写対象物に転写する際に用いられる転写具において、
少なくとも前記転写物を前記転写対象物に接触させ得る転写ヘッドを有する転写具本体と前記転写ヘッドを前記転写対象物に当接させた状態において前記転写対象物の前記転写ヘッドと接する箇所に対応する裏面から前記転写対象物に接し得る転写対象物受け台とを具備してなり、
前記転写ヘッドが、前記転写物の前記転写対象物への転写時に前記転写対象物に接触し且つ転写物を転写する部位である転写面を有し、前記転写対象物に対して前記転写面を接触させて所定の転写方向へ移動させることにより前記転写物を前記転写対象物に転写するように構成し、
該転写対象物受け台と前記転写具本体との間に前記転写対象物が挿通可能な挿通空間を形成し、該挿通空間内に少なくとも前記転写面が前記転写具本体より表出するように前記転写ヘッドを配置し、
前記転写面を前記転写対象物に対し停止させ且つ圧着させた状態で該転写面を通じて転写物を転写対象物へ一定寸法で送り出す徐送機構を具備していることを特徴とする転写具。
【発明の詳細な説明】
【技術分野】
【０００１】
本発明は、転写物を転写対象面に転写する際に用いる転写具に関するものである。
【背景技術】
【０００２】
従来より、転写物を転写対象物に転写する際に用いる転写具が種々案出されている。ここで、転写物には、例えば、粘着テープや粘着性を有しないテープ等のテープ類、固体又は液体のり、接着剤等が挙げられる。このような転写物を転写するための従来の転写具は、転写物を内部に保持する転写具本体と、この転写具本体に保持された転写物を転写対象物に送り出すための転写ヘッドとを備えているのが通例である。この転写ヘッドには、転写対象面に接触して転写物を転写対象面に転写する転写面が形成されている。すなわち、このような従来の転写具は、使用者が転写具本体を手に持ち、転写対象面に転写面を接触させた状態で転写対象面上を連続的に移動させることによって、転写物を転写対象面に転写するように構成されている。(例えば、特許文献１参照)。
【先行技術文献】
【特許文献】
【０００３】
【特許文献１】特開２００２−２６４５８８号公報
【発明の概要】
【発明が解決しようとする課題】
【０００４】
上述したような従来の転写具では、転写物を転写対象物に転写する際、専ら転写具本体も持つ手を調節して転写具本体を移動させることにより転写物を転写する寸法を任意に決定するが、例えば転写物を所定の箇所に一定寸法のみ転写したい場合など、正確に一定寸法のみ転写できない場合があった。また、紙の端部或いは端部付近より転写対象物に転写ヘッドの転写面を接触させた状態で転写対象面上を移動させるときには通常、転写させる箇所の近傍を手で押さえた状態で、端部に転写面を押し当て転写具本体を移動させるが、このとき転写対象物として薄い紙などを用いた場合では、該転写対象物の端部付近を手で押さえる力と転写面を所定の転写方向へ移動させる力によって、転写対象物が破れてしまう可能性を有していた。
【０００５】
他方、特許文献１に記載されているような転写具を用いれば、予め転写物を一定寸法露出させた状態で転写対象物に押し付けることにより的確に一定寸法のみ転写物を転写することができる。しかしながら、このような転写具を用いて転写物を任意の寸法で転写しようとすれば、転写物を一定寸法転写するための押し付け動作を間欠的に繰り返さなければならず、転写物を転写する作業効率が著しく劣ってしまうこととなる。
【０００６】
本発明は、このような不具合に着目したものであり、任意の寸法転写物を転写する態様と、一定寸法ずつ連続的に転写物を転写可能な態様とを併せて実現する転写具を提供する。
【課題を解決するための手段】
【０００７】
本発明は、このような目的を達成するために、次のような手段を講じたものである。すなわち、本発明に係る転写具は、転写物を紙等の転写対象物に転写する際に用いられる転写具において、少なくとも前記転写物を前記転写対象物に接触させ得る転写ヘッドを有する転写具本体を具備し、前記転写ヘッドが、前記転写物の前記転写対象物への転写時に前記転写対象物に接触し且つ転写物を転写する部位である転写面を有し、通常使用状態では前記転写対象物に対して前記転写面を接触させて所定の転写方向へ移動させることにより前記転写物を前記転写対象物に転写するように構成したものであって、前記転写面を前記転写対象物に対し停止させ且つ圧着させた状態で該転写面を通じて転写物を転写対象物へ一定寸法で送り出す徐送機構と、該徐送機構を作用させた徐送状態とこの徐送状態を解除した前記通常使用状態とを前記転写面を転写対象物に接触させたままで選択的に切り換える切換機構とを具備していることを特徴とする。
【０００８】
なお、本明細書において「転写方向」とは、転写物を転写するために転写面を転写対象物に対して移動させる方向を指すものとする。このような構成とすることにより、本発明に係る転写具は、徐送機構により転写物を一定寸法ずつ転写する態様と、任意の寸法転写物を転写する態様とを切換機構により連続的に切り換えることが可能となるので、徐送機構により一定寸法ずつ転写物を転写し得る徐送状態であっても、当該徐送状態から通常使用状態へと切換機構が転写面を転写対象物に圧着させた状態のままで選択的に切り換えるので転写面を転写対象物から離すことなく転写物を従来の転写具と同様に任意の寸法で転写物を転写する態様に任意に切換えることができる。さらに、従来の転写具では例えば転写対象物として薄い紙などを用いた場合、転写対象物の端部付近を手で押さえる力と転写面を所定の転写方向へ移動させる力によって、転写対象物を破ってしまう場合も考えられたが、本発明に係る転写具であれば、徐送機構により転写対象物に対して転写物を一定寸法ずつ転写することができ、転写対象物として薄手の紙を用いた場合でも破れてしまうことなく確実に転写物を転写することができる。
【０００９】
転写面を転写方向へ移動させる際に転写対象物に加える力をより軽減させて円滑な転写を実現するためには、前記転写ヘッドが転写時に回動し得る前記転写面を有してなる転写ローラを具備するものであることが望ましい。
【００１０】
前述したような転写面を転写方向へ移動させる際に転写対象物に加える力を軽減して転写物を一定寸法で転写する徐送機構を構成するためには、当該徐送機構を、前記転写ローラを外力により一定角度回動させることにより、前記転写物を前記転写対象物へ一定寸法で送り出し得るものとすることを挙げることができる。また、上述したような徐送機能を採用した場合には切換機構を、前記徐送機構に依存して前記転写ローラを一定角度回動させ得る徐送状態と、前記転写ローラが前記徐送機構に依存せずに回動し得る通常使用状態とを切り換えるものとすることが望ましい。
【００１１】
転写面へ転写対象物を適切に当接させて良好な転写性を得るとともに転写対象物を正確に反転写方向へ送るためには、転写時に前記転写ヘッドの転写面に前記転写対象物の対象面を接触させた状態で前記転写対象物の前記対象面に対する裏面から当接する裏当て面を有する回動可能な補助ローラを設けることが望ましい。また、より良好な転写性を得るためには、前記補助ローラを前記転写ヘッドの転写面に対向する位置に設けているものを挙げることができる。さらに転写対象物の厚みに関らず好適に転写対象物を表裏より支持するためには、前記補助ローラの裏当て面を前記転写面と対向させて、該裏当て面と前記転写面とを相対的に接離するようにすることが好ましい。そして、上述した補助ローラを利用して徐送機構を構成するためには、徐送機構を、前記補助ローラを外力により一定角度回動させて、転写対象物を前記転写方向の逆方向である反転写方向へ一定寸法移動させることにより前記転写ヘッドの転写面から前記転写物を引き出す結果前記転写物を前記転写対象物へ一定寸法で送り出し得るものとすることが望ましい。ここで、徐送機構が補助ローラを回動させる態様は直接補助ローラを回動させる態様であるか又は間接的に補助ローラを回動させる態様であるかは問わない。すなわち、直接手指などで補助ローラを一定角度回動させる態様なども含むものである。このような徐送機構を採用した場合の切換機構の望ましい態様として、切換機構を、前記徐送機構に依存して前記補助ローラを一定角度回動させ得る徐送状態と、前記徐送機構に依存せずに前記補助ローラが回動し得る通常使用状態とを切り換えるものとすることが望ましい。
【００１２】
本発明に係る転写具を、テーブルや机等の台を用いる必要がなく、転写対象物を転写具本体とともに手で持った状態のままで転写物を転写できるようにするためには、前記転写面を前記転写対象物に当接させた状態において前記転写対象物の前記転写面と接する箇所に対応する裏面から前記転写対象物に接し得る転写対象物受け台を具備してなり、該転写対象物受け台と前記転写具本体との間に前記転写対象物が挿通可能な挿通空間を形成し、該挿通空間に内に少なくとも前記転写面が前記転写具本体より表出するように前記転写ヘッドを配置するとともに、前記裏当て面を前記転写対象物受け台より表出するように前記補助ローラを配置するように構成することが望ましい。
【００１３】
そして、転写物に関する部品を多く収納しているために、新たな部材を設ける余裕に乏しい転写具本体に操作部を設けることを有効に回避し、且つ徐送機構を構成するスペースを有効に確保するためには、徐送機構を、前記補助ローラを外力により一定角度回動させて、転写対象物を前記転写方向の逆方向である反転写方向へ一定寸法移動させることにより前記転写ヘッドの転写面から前記転写物を引き出す結果前記転写物を前記転写対象物へ一定寸法で送り出し得るものとして、前記補助ローラと、前記補助ローラを外力により一定角度回動させ得る操作部とを少なくとも有し、該操作部を前記転写対象物受け台に設けているものとすることが望ましい。また、上述したような徐送機構を採用した場合の切換機構の望ましい態様として、切換機構を、前記操作部が前記補助ローラを一定角度回動させ得る徐送状態と、前記操作部に依存せずに前記補助ローラが回動し得る通常使用状態とを切り換えるものとすることが望ましい。
【００１４】
また、簡易な構成としながらも確実に補助ローラを回動させるものとするためには、補助ローラを、前記転写対象物に接し得る補助ローラ本体と、該補助ローラ本体と共に回動するピニオンとを具備するものとして、前記操作部が前記ピニオンを一定角度回動させることにより前記補助ローラを一定角度回動させるものとすることが望ましい。そして、前記ピニオンを好適に回転させることができ、且つ扱いやすい操作部とするためには、操作部を、前記転写対象物受け台に動作可能に取り付けられた操作レバーと、該操作レバーの動作に追従して前記ピニオンに係合し得る遊動係合子とを具備するものとして、該遊動係合子に、前記ピニオンに係合して前記補助ローラの裏当て面を反転写方向へ回動させ得るラック部分を形成し、前記遊動係合子を、該ラック部分が前記ピニオンに係合する係合姿勢と前記ラック部分が前記ピニオンに対して離間した退避姿勢とをとり得るものとする事が望ましい。そして上述したような操作レバーを単純な構成としても高い動作精度を実現するものとするためには、前記操作レバーを、その一端部を前記転写対象物受け台に対して回動可能に枢着され、他端部に前記遊動係合子を支持しているものとして、前記操作レバーの一端部を中心とする前記他端部及び前記遊動係合子の回動方向を前記ピニオンの接線方向に略合致させることが望ましい。ここで、上述したような遊動係合子を採用した場合の切換機構の望ましい態様として、切換機構が、前記遊動係合子が係合する前記係合姿勢をとった徐送状態と、前記遊動係合子が前記退避姿勢をとった通常使用状態とを切り換えるものであることを挙げることができる。
【００１５】
さらに、操作レバーが所定の操作方向に回動する場合のみピニオンを動作させるものとして、操作レバーが逆方向に回動する場合にピニオンが連動してしまうという誤操作を有効に回避するためには、前記操作レバーを、その一端部を前記転写対象物受け台に対して回動可能に枢着され、他端部に前記遊動係合子を支持しているものとして、前記切換機構を、前記ピニオンが前記補助ローラの裏当て面を前記反転写方向に回動させるべく前記操作レバーを所定の操作方向へ回動させる場合に前記遊動係合子が係合姿勢をとる一方、前記操作レバーを前記操作方向とは逆方向へ回動させる場合に前記遊動係合子が退避姿勢をとるように構成することが好ましい。その具体的な態様としては、上述の構成に加え、前記操作レバーの他端部に前記遊動係合子を支持する支持軸を設けるとともに前記遊動係合子に前記支持軸に支持される姿勢切換孔を形成し、該姿勢切換孔を長孔としてその一端側に係合位置を設定するとともに他端側に退避位置を設定し、前記切換機構を、前記ピニオンが前記補助ローラの裏当て面を前記反転写方向に回動させるよう前記操作レバーを所定の操作方向へ回動させる場合に前記支持軸が前記姿勢切換孔における係合位置に位置することにより前記遊動係合子が前記係合姿勢をとるとともに、前記操作レバーを前記操作方向とは逆方向へ回動させる場合に前記支持軸が前記姿勢切換孔における退避位置に位置することにより前記遊動係合子が前記退避姿勢をとるように構成しているものを挙げることができる。このような構成であれば、係合姿勢と退避姿勢とを切換えるために別途部品を付け加えることなく、遊動係合子が操作レバーに支持されるために設けた孔を利用するのみで簡単且つ好適に切換機構を構成することができる
また、操作レバーを容易に繰り返し操作し得るものとして徐送機構により転写物を連続的に転写し易いものとするためには、前記操作レバーに、該操作レバーを前記ピニオンが前記補助ローラの裏当て面を前記反転写方向に回動させるように所定の操作方向へ回動させる場合に、弾性変形により前記操作方向とは逆方向へ前記操作レバーを回動させる力を蓄積する弾性変形部位を形成しているものとすればよい。
【００１６】
一方、操作部を構成する別の態様として、遊動係合子が操作レバーの操作に好適に追従し得るものとするためには、前記操作レバーが、その一端部を前記転写対象物受け台に対して回動可能に枢着され、他端部に前記遊動係合子を支持しているものであって、前記操作レバーの他端部に前記遊動係合子を支持する姿勢切換孔を形成するとともに前記遊動係合子に支持軸を設け、前記姿勢切換孔を長孔としてその一端側に係合位置を設定するとともに他端側に退避位置を設定し、前記切換機構を、前記ピニオンが前記補助ローラの裏当て面を前記反転写方向に回動させるよう前記操作レバーを所定の操作方向へ回動させる場合に前記支持軸が前記姿勢切換孔における係合位置に位置することにより前記遊動係合子が前記係合姿勢をとるとともに、前記通常使用状態において、前記転写対象物を反転写方向へ移動させることによる前記補助ローラの回転に伴った前記ピニオンの回転により前記ラック部分が前記ピニオンに当接して遊動係合子が反発される場合に前記支持軸が前記姿勢切換孔における退避位置に位置することにより前記遊動係合子が前記退避姿勢をとるように構成しているものとする事が望ましい。
【００１７】
さらに、必要に応じて係合位置と退避位置との切り換えを好適に行い得るものとするためには、前記支持軸が前記姿勢切換孔における退避位置に位置する場合に、前記支持軸を係合位置へ移動させる力を蓄積する弾性変形部を前記遊動係合子に形成しているものが好ましい。
【００１８】
そして、ラック部分がピニオンに係合した係合状態としているときであっても徐送状態を維持しつつ且つ必要に応じて好適に通常使用状態へ切り換えることができるようにするためには、前記ラック部分に前記ピニオンを回動させる方向に向く伝達面と該伝達面間を接続する傾斜面とを有する伝達歯を複数形成する一方、前記ピニオンが前記伝達面と当接可能な係合面を有する係合歯を複数形成し、前記徐送機構を、前記遊動係合子が係合姿勢にある徐送状態において、前記伝達歯の伝達面が前記係合歯の係合面に当接する方向へ前記ラック部分の伝達歯が動作した場合に前記遊動係合子が前記係合姿勢をとりながら前記ピニオンが前記ラック部分に連動して回動するように構成し、さらに、前記切換機構を、前記徐送状態において前記ピニオンの係合歯が動作して該係合歯の先端部が前記伝達歯の傾斜面に当接した場合に、前記ラック部分と前記ピニオンとが離間して前記遊動係合子が係合姿勢から退避姿勢へと切り換わることにより前記ピニオンが前記ラック部分に対して空転する通常使用状態へと切り換わるように構成しているものとすることが望ましい。
【００１９】
通常使用状態においてピニオンが回転する際にラック部分に衝突することによって起こる衝突音の発生を有効に防止するためには、通常使用状態においてラック部分とピニオンとを互いに接触し得ない距離に離間させる解除機構を設けることが望ましい。ここで、解除機構はラック部分或いはピニオンのどちらを移動させるものであるかを限定するものではなく、例えば両方を移動させるものであっても良い。
【００２０】
また、補助ローラ及びピニオンの設定を変更することなく、解除機構を好適に設定し得るように設けるためには、操作レバーの操作にともなってピニオンとラック部分とが係合する係合姿勢からピニオンとラック部分とが離間した解除姿勢へと遊動係合子を移動させるように構成することが望ましい。なお、解除機構は操作レバーの何れの動作範囲において解除姿勢とするものであっても良い。ここで、操作レバーの動作範囲のうち始端付近において遊動係合子を解除姿勢へと移動させるものであっても回動終端付近で解除姿勢とするものであっても良いが、特に、格別な操作を必要とせずに簡便に解除機構を作動させるように構成するためには、解除機構を、操作レバーの回動範囲のうち回動終端付近において前記遊動係合子を前記解除姿勢とするように構成することが好ましい。また、操作レバーを所望のタイミングで動作させて解除姿勢とするためには、操作レバーに、操作レバーを回動させた際に逆方向の弾性反発力を蓄積する弾性部材を取り付けることが好ましい。
【００２１】
そして、遊動係合子が移動し得る移動範囲と遊動係合子を移動させるタイミングとをそれぞれ好適に設定し得るものとするためには、解除機構を、遊動係合子を係合姿勢と解除姿勢とをとり得るように移動可能に支持し得る遊動係合子支持機構と、操作レバーの回動動作を係合姿勢から解除姿勢への退避動作に変換する動作力変換機構とを具備するものとすることが望ましい。
【００２２】
さらに、簡素な構造で遊動係合子を正確に移動させ得るものとするためには、遊動係合子支持機構を、操作レバー或いは遊動係合子の何れか一方に形成され遊動係合子を支持する支持軸と、他方に形成され遊動係合子が係合姿勢と解除姿勢とをとり得るように移動可能に支持軸を支持する姿勢切換部とを有するものとすることが望ましい。さらに、遊動係合子が係合姿勢と解除姿勢とを相互に確実に移動し得るものとするためには、遊動係合子支持機構を、遊動係合子が解除姿勢をとる際に係合姿勢へ復帰させる反発力を蓄積する弾性変形部を有するものとすることが望ましい。
【００２３】
また、操作レバーに付与される動作力を確実に遊動係合子の姿勢変更動作に変換するためには動作力変換機構を、転写対象物受け台或いは遊動係合子の何れか一方に設けられたカム面と、他方に設けられカム面に摺接し得る付勢部を有するものとすることが望ましい。簡素な構造でこの動作力変換機構を実現する具体的な構成として、カム面を遊動係合子の上面に形成するとともに、付勢部を転写対象物受け台の下面におけるカム面に対向する位置に設けているものを挙げることができる。そして、通常使用状態における使用中に遊動係合子を解除姿勢に安定して位置付けるためには、操作レバーを回動終端に位置付けた際に付勢部に当接し遊動係合子を解除姿勢に位置決めする位置決め部をカム面に形成することが好ましい。
【００２４】
加えて、本発明に係る転写具は、転写物を紙等の転写対象物に転写する際に用いられる転写具において、少なくとも前記転写物を前記転写対象物に接触させ得る転写ヘッドを有する転写具本体と前記転写ヘッドを前記転写対象物に当接させた状態において前記転写対象物の前記転写ヘッドと接する箇所に対応する裏面から前記転写対象物に接し得る転写対象物受け台とを具備してなり、前記転写ヘッドが、前記転写物の前記転写対象物への転写時に前記転写対象物に接触し且つ転写物を転写する部位である転写面を有し、前記転写対象物に対して前記転写面を接触させて所定の転写方向へ移動させることにより前記転写物を前記転写対象物に転写するように構成し、該転写対象物受け台と前記転写具本体との間に前記転写対象物が挿通可能な挿通空間を形成し、該挿通空間内に少なくとも前記転写面が前記転写具本体より表出するように前記転写ヘッドを配置し、前記転写面を前記転写対象物に対し停止させ且つ圧着させた状態で該転写面を通じて転写物を転写対象物へ一定寸法で送り出す徐送機構を具備していることを特徴とする。
【００２５】
このようなものであれば、挿通空間において転写対象物を転写ヘッドと転写対象物受け台との間に挟み込んだ状態とすれば、転写対象物を転写具本体とともに手で持った状態のままで徐送機構によって一定寸法ずつ連続的に転写することができる。
【発明の効果】
【００２６】
上述したように本発明によれば、転写面を転写対象物に対し停止させ且つ圧着させた状態で該転写面を通じて転写物を転写対象物へ一定寸法で送り出す徐送機構と、該徐送機構を作用させた徐送状態とこの徐送状態を解除した通常使用状態とを転写面を転写対象物に接触させたままで選択的に切り換える切換機構とを具備しているので、転写物を一定寸法ずつ転写する態様と、任意の寸法転写物を転写する態様とを連続的に切り換えることが可能となる。すなわち、徐送機構により一定寸法ずつ転写物を転写し得る徐送状態であっても、切換機構が徐送状態から通常使用状態へと転写面を転写対象物に圧着させた状態のままで選択的に切り換えるので転写対象物から転写面を離すことなく転写物を従来の転写具と同様に任意の寸法で転写物を転写する態様に任意に切換えることができる。さらに、従来の転写具では例えば転写対象物として薄い紙などを用いた場合、転写対象物の端部付近を手で押さえる力と転写面を所定の転写方向へ移動させる力によって、転写対象物を破ってしまう場合も考えられたが、徐送機構により転写対象物に対して転写物を一定寸法ずつ転写することができ、転写対象物として薄手の紙を用いた場合でも破れてしまうことなく確実に転写物を転写することができる。
【００２７】
また本発明によれば、転写対象物を転写ヘッドと転写対象物受け台との間の挿通空間に挟み込んだ状態とすれば、転写対象物を転写具本体とともに手で持った状態のままで徐送機構によって一定寸法ずつ連続的に転写することができ、転写対象物として薄手の紙を用いた場合でも破れてしまうことなく確実に転写物を転写することができる。
【図面の簡単な説明】
【００２８】
【図１】本発明の第一実施形態に係る転写具の全体斜視図。
【図２】同実施形態に係る分解斜視図。
【図３】同実施形態に係る要部斜視図。
【図４】同実施形態に係る要部分解斜視図。
【図５】同実施形態に係る側面図。
【図６】図５（ａ）に係るＢ−Ｂ断面図。
【図７】同実施形態に係る動作説明図。
【図８】同実施形態に係る動作説明図。
【図９】同実施形態に係る側面図。
【図１０】同実施形態の変形例に係る斜視図。
【図１１】本発明の第二実施形態に係る転写具の全体図。
【図１２】同実施形態に係る要部断面図。
【図１３】同実施形態に係る構成説明図。
【図１４】同実施形態に係る動作説明図。
【発明を実施するための形態】
【００２９】
以下、本発明の一実施の形態について図面を参照して説明する。
【００３０】
本実施形態に係る転写具Ａは、例えば図１、図２等に示すように、テープ本体Ｔａと、このテープ本体Ｔａの片面に貼付した転写物たる糊Ｔｂとからなるテープ糊Ｔを転写対象物たる紙片Ｐに貼付するものである。
【００３１】
転写具Ａは、主として、前記テープ糊Ｔを保持し且つテープ糊Ｔを紙片Ｐに接触させ得る転写ヘッドＨを有する転写具本体１と、この転写具本体１に付帯させてなる転写対象物受け台２とを備えたものである。
【００３２】
そして、この転写具Ａは、この転写対象物受け台２に、後述する操作レバー７１を具備する操作部７を設けている。この操作部７は、後述する補助ローラＲ１とともに、テープ糊Ｔを後述する転写面ＲＴａを介して転写対象物たる紙片Ｐに対し圧着させ且つ停止させた状態で該転写面ＲＴａを通じて糊Ｔｂを紙片Ｐへ一定寸法で送り出す徐送機構Ｘとして機能するとともに、該徐送機構Ｘを作用させた徐送状態ｘとこの徐送状態ｘを解除した通常使用状態ｙとを転写面ＲＴａを介してテープ糊Ｔを紙片Ｐに接触させたままで選択的に切り換える切換機構Ｚとしても機能するものである。
【００３３】
なお、以下の説明において、位置若しくは方向を示す用語である「前」とは、転写具Ａの転写ヘッドＨが位置する側を指し、「後」とは転写具Ａの長手方向における転写ヘッドＨが位置する側の反対側を指す。すなわち、この「後」は糊Ｔを紙片Ｐに転写する際に紙片Ｐに対して転写具Ａが移動する方向であり、本発明に係る「転写方向」を併せて指しているものである。また、「前後方向」とは転写具Ａの長手方向を指す。また、「上」とは転写具における転写具本体１が位置する側を指し、「下」とは転写具Ａにおける転写対象物受け台２が位置する側を指す。
【００３４】
転写具本体１は、主として、テープ糊Ｔを保持する詰替カートリッジ３と、この詰替カートリッジ３を着脱可能に収容するケース４とを備えている。
【００３５】
詰替カートリッジ３は、図２に示すように、主として巻出用スプールＳＰ１及び巻取用スプールＳＰ２をそれぞれ回転可能に支持する内側板３１を用いて構成されたものであり、この内側板３１の前端部に転写ヘッドＨを回転可能に支持させている。
【００３６】
転写ヘッドＨは、テープ糊Ｔの紙片Ｐへの転写時に回転し得る転写ローラＲＴを有するものである。この転写ローラＲＴは、外部からの加えられた力によって若干弾性変形し得るクッション性材料により形成している。そして、内側板３１の前端近傍部位に、内側板３１と直交する方向に所定寸法延出させた直交片部３１１とこの直交片部３１１の先端部から内側板３１と略並行をなして延びる平行片部３１２とを一体に設け、この平行片部３１２の先端部及び平行片部３１２の先端部に対向する内側板３１の所定部位にそれぞれ形成した貫通孔に、転写ローラＲＴの回転支軸ＳＴの側端部をそれぞれ挿入することにより、転写ローラＲＴを回転支軸ＳＴを中心に回転可能に設定している。ここで、本実施実施において転写ヘッドＨの先端部とは、転写ローラＲＴのうち、転写時に紙片Ｐに接触し且つテープ糊Ｔを転写する部位である転写面ＲＴａの先端部を指す。この転写面ＲＴａは転写時に回転し得るものである。また、平行片部３１２の先端部及び平行片部３１２の先端部に対向する内側板３１の所定部位に、それぞれ外側方に向かって膨出させた筒状部３１２ｂ、３１ｄを設け、これら筒状部３１２ｂ、３１ｄを後述する各外側板４１、４３に設けた嵌合部４１９、４３７にそれぞれ嵌合可能に設定している。
【００３７】
他方、ケース４は、図２に示すように、主として転写具本体１の一方の外側壁となる第１外側板４１と、この第１外側板４１と対向し転写具本体１の他方の外側壁となる第２外側板４３とを備えたものである。
【００３８】
第１外側板４１は、前記内側板３１と同様に、例えば合成樹脂製の薄板状をなすものであり、本実施形態においてはコーナー部に丸みを帯びた側面視略方形状をなしている。この第１外側板４１の内側面に、前記巻出用スプールＳＰ１及び巻取用スプールＳＰ２を回転駆動するための巻出用ギアＧ１と、巻出用ギアＧ１より小径であり且つ巻出用ギアＧ１と噛合する巻取用ギアＧ２とを取り付けている。また、第１外側板４１の下周縁部の一部を非連続的に設定し、この部位に平面視略コ字状の固定部材４２を介して第２補助ローラＲ２ａを回動可能に取り付けている。この第２補助ローラＲ２ａは、転写ローラＲＴと同様クッション性材料により形成している。加えて、第１外側板４１に、第１外側板４１の下周縁部よりさらに下方に延出させてなる延出片４１７を一体に設けている。また、延出片４１７の後端部には、延出片４１７の延出方向と直交する方向に突出させてなる軸４１８を設けている。また、第１外側板４１の後縁部位の一部を前端側に窪ませてなる凹部４１Ａを形成し、凹部４１Ａに後述する第２外側板４３に設けた係合片４３ａが係合する係合孔４１ａを形成している。
【００３９】
一方、第２外側板４３は、前記第１外側板４１と同様に、例えば合成樹脂製の薄板状をなすもので、側面視形状を第１外側板４１の側面視形状に略対応するように設定しており、下端部略中央部に、第１外側板４１に設けた固定部材４２との干渉を回避すべく固定部材４２の側面視形状と略同形状の切欠き４３１を形成してある。第２外側板４３の内側面における前記詰替カートリッジ３の内側板３１の外側面が当接または近接し得る所定領域に、内側板３１の側面視形状に略対応させて他の領域より薄肉となるように外側面側に窪ませてなる嵌合凹部４３２を形成している。さらに、第１外側板４１に設けた嵌合部４１９と対応する位置、すなわち、第２外側板４３の前端部における下縁側に、外側方に向かって膨出させた嵌合部４３７を設けている。この嵌合部４３７は、前記詰替カートリッジ３の内側板３１に設けた筒状部３１ｄの内周及び外周に同時に嵌合する形状をなしている。また、第１外側板４１に形成した凹部４１Ａに対応させて第２外側板４３の後縁部位の一部にも前端側に窪まてなる凹部４３Ａを形成し、この凹部４３Ａに上述した係合孔４１ａに係合する係合片４３ａを設けている。
【００４０】
そして、このような構成を有する第１外側板４１と第２外側板４３とを一体的に組み付けるには、第１外側板４１の係合孔４１ａに第２外側板４３の係合片４３ａを係合させること等により行う。
【００４１】
他方、転写対象物受け台２は、主として、前記第１外側板４１の延出片４１７に設けた軸４１８を支持するように形成された軸受け部５１１を有するベース５と、ベース５に対して天秤動作可能に設定されたアーム部６とを備えたものである。
【００４２】
ベース５は、図２に示すように、前後巾寸法が、転写具本体１の前後巾寸法より若干小さく設定され、前後方向略中央部から前端部に亘る領域の高さ寸法を前後方向略中央部から後端部に亘る領域の高さ寸法より小さくなるように前後方向略略中央部に段部５Ｄを形成している。以下の説明においては、この段部５Ｄより後端部側の部位を後半部５１と称し、段部５Ｄより前端部側の部位を前半部５２と称す。後半部５１に、前記軸受け部５１１を形成している。この軸受け部５１１は、軸４１８の直径より僅かに大きな径をなす第１大径部５１１ａ及び第２大径部５１１ｂを前後方向に所定距離離間した部位に有するとともに、これら大径部５１１ａ、５１１ｂ同士を連通するように前後方向に延びる溝５１１ｃとを有する。溝５１１ｃは、軸４１８が挿通可能なものである。
【００４３】
アーム部６は、図２に示すように、ベース５の前半部５２に配設されるものであり、前後方向略中央部に、前記ベース５の前半部５２に設けた凸部が嵌まり込む嵌合孔を形成している。また、アーム部６の上面部に挿通空間ＡＳの開放側の側方へ延出させてなる図示しない延出面部を形成してもよく、それにより転写時にこの延出面部によって紙片Ｐを支持するとともに、紙片Ｐを挿通空間ＡＳに差し込み易くすることができるようになる。さらに、延出面部の上面に、紙片Ｐへの糊Ｔｂの転写開始位置を示す転写開始位置表示手段を設けてもよい。転写開始位置表示手段としては、延出面部の上面において、転写ローラＲＴの回転支軸ＳＴの延長線上に略沿って設けた転写スタート位置表示ラインと、この転写スタート位置表示ラインのすぐ後方に設けた載置要領表示とから構成したものが挙げられる。これら転写スタート位置表示ライン及び載置要領表示は何れも延出面部の上面を浅く刻印したものが好ましく、転写スタート表示ラインとしては一直線上の線を、載置要領表示としては紙片Ｐの形状をそれぞれ採用すればよい。なお、これら転写スタート表示ライン及び載置要領表示として、延出面部の上面に印刷したものとしたりシールを貼付したものを採用しても構わない。このようにすることで、使用者に対して確実な転写作業と間違いのない使用方向とを示唆するようにしている。また、アーム部６の前端部に、転写時に前記転写ローラＲＴと連動して回転し得る補助ローラＲ１を設けているとともに、アーム部６の後端部に、転写時に前記転写具本体１に設けた第２補助ローラＲ２ａと連動して回転し得る第２補助ローラＲ２ｂを設けている。具体的には、前記凸部と嵌合孔との嵌合部位を支点としてアーム部６がベース５に対して天秤動作可能な状態となっている。そして、アーム部６をベース５に対して略平行となるように位置させた場合、アーム部６の上縁とベース５の後半部５１の上縁とが略一致し得るように設定してある。
【００４４】
ここで、図４に示すように、ベース５の前半部５２には枢着軸５２３とスライド軸５２４を形成して補助ローラＲ１を所定の操作力により一定角度回転させ得る操作部７を取り付けている。この操作部７は補助ローラＲ１とともに後述する使用位置（Ｏ）において、補助ローラＲ１を反転写方向へ一定寸法移動させ、これに連動して転写ローラＲＴも反転写方向へ一定寸法移動させて転写ローラＲＴの転写面ＲＴａからテープ糊Ｔを引き出す結果糊Ｔｂを紙片Ｐへ一定寸法で送り出し得る本発明に係る徐送機構Ｘとして機能するように構成している。また、同じく操作部７は補助ローラＲ１とともに、徐送機構Ｘに依存してテープ糊Ｔを紙片Ｐへ一定寸法で送り出し得る徐送状態ｘと、この徐送状態ｘを解除して徐送機構Ｘに依存せずにテープ糊Ｔを紙片Ｐへ送り出し得る、言い換えれば操作部７に依存せずに転写ローラＲＴを反転写方向へ回動させ得る通常使用状態ｙとを転写具Ａの使用状態並びに操作部７の動作態様に応じて選択的に切り換える切換機構Ｚとしても機能するように構成している。
【００４５】
補助ローラＲ１は、操作部７付近の分解図である図４に示すように上述した構成に加え、紙片Ｐに当接し得る補助ローラ本体Ｒ１０と、該補助ローラ本体Ｒ１０と同軸に配され、共に回動するピニオンＲ１１とによって構成しているものである。ピニオンＲ１１は通常の歯車に比して、それぞれの係合歯Ｒ１１０が一方方向に偏向した形状で形成されており、係合歯Ｒ１１０のうち、ピニオンＲ１１を回転させる方向に向いているそれぞれの面を係合面Ｒ１１０ａとして後述する遊動係合子７２と係り合うようになっている（図４（ｂ））。
【００４６】
そして、操作部７は、操作レバー７１と、遊動係合子７２とにより構成されている。操作レバー７１は、その一端部たる基端側に枢着軸７１１を形成して上述したベース５に形成した枢着軸５２３及びピン５２３ａによって枢着されるとともに、他端部たる先端側に支持軸７１２（図４（ｃ））を設けて当該支持軸７１２により遊動係合子７２を支持している。また、この操作レバー７１を回動させるとき支持軸７１２並びに遊動係合子７２の軌跡は、ピニオンＲ１１の接線方向に略合致しており、先端側に支持されている遊動係合子７２がピニオンＲ１１の略接線上を移動し得るように設定されている。またこの操作レバー７１の基端側付近には、操作レバー７１を上方へ回動させた際に上述した延出片４１７に当接し弾性変形することにより下方へ操作レバー７１を回動させる力を蓄積する弾性変形部位７１３を形成している（図４（ｃ））。遊動係合子７２は、その上側前方にはピニオンＲ１１に係合し得るラック部分７２１を、上側後方には操作レバー７１に形成した支持軸７１２に支持される傾斜方向に延びる楕円孔である姿勢切換孔７２２を、さらに下側前方には上下方向に延びる長孔であってベース５に形成されたスライド軸５２４に上下方向にスライド可能に支持されるスライド孔７２３をそれぞれ形成している。ラック部分７２１は上述したピニオンＲ１１の係合面Ｒ１１０ａに当接し得る上方へ向いた伝達面７２１ａと、斜め下方向に向く傾斜面７２１ｂとにより形成される伝達歯７２１ｃを複数（本実施形態では一例として４本）有している（図４（ｄ））。また、姿勢切換孔７２２のうち、相対的に上方に位置する部分を係合位置７２２ａとし、係合位置７２２ａより斜め下方に位置する箇所を退避位置７２２ｂとして、操作レバー７１の支持軸７１２が係合位置７２２ａに位置するときにはラック部分７２１とピニオンＲ１１とが係合するようにピニオンＲ１１、操作レバー７１及び遊動係合子７２がそれぞれ設定されて組み付けられている。
【００４７】
このような構成をなす転写具本体１と転写対象物受け台２とを組み付けるには、先ず、転写具本体１の第１外側板４１に設けた軸４１８を、転写対象物受け台２のベース５に形成した軸受け部５１１に挿入する。具体的には、軸４１８を軸受け部５１１のうち後縁部側に形成した第２大径部５１１ｂに挿入し、この状態で軸４１８に形成したねじ孔に螺合するネジＶをねじ込み、転写対象物受け台２を転写具本体１に対して抜脱不能に一体的に組み付ける。なお、本実施形態においては、ネジＶとしていわゆるツマミ付ネジを用いており、ねじ合わせ作業の容易化を図っている。そして、この組付状態において、軸４１８と第２大径部５１１ｂとの枢着点を支点に、転写対象物受け台２が転写具本体１の転写ヘッドＨから所定距離離間した不使用位置（Ｐ）と、転写対象物受け台２が転写具本体１の転写ヘッドＨに当接又は近接した使用位置（Ｏ）との間で転写対象物受け台２を転写具本体１に対して回動可能に設定している。本実施形態においては、転写対象物受け台２が不使用位置（Ｐ）に位置する場合、転写対象物受け台２が、転写具本体１に対して所定角度（本実施形態では略１５度）をなしている（図５（ｂ）参照）。
【００４８】
しかして、転写対象物受け台２を使用位置（Ｏ）に位置付けた場合、転写具本体１の第１外側板４１に設けた延出片４１７が、転写対象物受け台２のアーム部６の一部に当接し（図５（ａ）参照）、転写具本体１と転写対象物受け台２とが所定距離以上接近することを規制する。また、使用位置（Ｏ）において、転写具本体１に設けた転写ローラＲＴと転写対象物受け台２に設けた補助ローラＲ１とが当接または近接した状態で対向するとともに、これら転写ローラＲＴと補助ローラＲ１との対向位置から転写方向に所定距離離れた位置において転写具本体１に設けた第２補助ローラＲ２ａと転写対象物受け台２に設けた第２補助ローラＲ２ｂとが当接または近接した状態で対向し、転写具本体１と転写対象物受け台２との間に紙片Ｐが挿通可能な挿通空間ＡＳが形成される。この場合、挿通空間ＡＳにおいて転写ローラＲＴの転写面ＲＴａと補助ローラＲ１の裏当て面Ｒ１ａとが当接または近接した状態で対向し、転写具本体１に設けた第２補助ローラＲ２ａの下縁部と転写対象物受け台２に設けた第２補助ローラＲ２ｂの上縁部とが当接または近接した状態で対向している。
【００４９】
次に、このような構成を有する転写具Ａの使用方法及びその作用について図５及び図５（ａ）に係るＢ−Ｂ断面図である図６を用いて説明する。
【００５０】
先ず、図５に示した状態において、転写具本体１の上側に例えば右手の親指を掛けるとともに、転写対象物受け台２にその他の指を掛けるようにして転写具Ａ全体を握るように持つ。その際、転写具本体１の延出片４１７が掌側に位置するように転写具Ａを持つ。そして、転写対象物受け台２を不使用位置（Ｐ）にした状態で、紙片Ｐの縁部Ｐａ（図６）が転写具本体１の延出片４１７に当接又は近接するように紙片Ｐと転写具Ａとを近付ける。次いで転写具Ａを強く握り、転写対象物受け台２を転写ヘッドＨに近付ける方向に握力を付与すると、転写対象物受け台２が転写具本体１に対して回転移動し使用位置（Ｏ）となる。この際、上述したように延出片４１７がアーム部６の一部に当接するとともに、転写ローラＲＴと補助ローラＲ１とが紙片Ｐを挟んだ状態で対向し、第２補助ローラＲ２ａ、Ｒ２ｂ同士が紙片Ｐを挟んだ状態で対向する。
【００５１】
そして、図５（ａ）に示したこの使用位置（Ｏ）において、補助ローラＲ１は転写ローラＲＴと連動し得る状態にあり、上述した操作部７が補助ローラＲ１を通じて転写ローラＲＴを回動させ得る状態である徐送状態ｘとなしている。そして徐送機構Ｘは、このように紙片Ｐに対して転写ローラＲＴを圧着させた状態から、操作レバー７１を例えば人差し指などで操作方向、すなわち上方に回動させることにより、図６に示すように、紙片Ｐを反転写方向へ一定寸法ずつ送り出して糊Ｔｂを紙片Ｐへ転写していくものである。
【００５２】
この使用状態（Ｏ）における操作部７の一連の動作態様について図７（ａ）、図７（ｂ）、図８（ａ）及び図８（ｂ）に模式的に示して詳述する。
【００５３】
まず、図７（ａ）は、使用位置（Ｏ）において、操作レバー７１を操作力を付与していない状態を示している。この状態において、操作レバー７１の弾性変形部位７１３の先端部７１３ａは、転写具本体１側の延出片４１７の所定箇所に接触した状態となっている。また、遊動係合子７２はこのとき、ラック部分７２１の伝達面７２１ａがピニオンＲ１１の係合面Ｒ１１０ａから僅かに離れた通常使用状態ｙとなっている。この状態において、遊動係合子７２は主にベース５のスライド軸５２４の上端によって支持されている状態であり操作レバー７１の支持軸７１２は姿勢切換孔７２２における退避位置７２２ｂに位置した退避姿勢ｙａとなっている。
【００５４】
そして、操作レバー７１を上方へ回動させると、図７（ｂ）に示すように、弾性変形部位７１３が弾性変形しながら操作レバー７１の先端側が上方へ移動することにより、支持軸７１２が主に遊動係合子７２を支持する状態となり、このとき、支持軸７１２は姿勢切換孔７２２における係合位置７２２ａに位置する。すなわち、このとき操作部７は通常使用状態ｙから徐送状態ｘへと切り換える本発明の切換機構Ｚとして機能している。そして係合位置７２２ａにおいて支持軸７１２に支持されることにより遊動係合子７２の上部がピニオンＲ１１に接する方向に傾斜してラック部分７２１の伝達歯７２１ｃがピニオンＲ１１の係合歯Ｒ１１０と係合した係合姿勢ｘａとなりながら上昇する。そして、ラック部分７２１の伝達面７２１ａとピニオンＲ１１の係合面Ｒ１１０ａとが接することによりラック部分７２１の上昇に連動してピニオンＲ１１が回動する、そして、操作レバー７１が動作終端、即ち上昇端へ到達すると、ラック部分７２１の最も下方に位置する伝達歯７２１ｃが係合歯Ｒ１１０と係合し終わった状態となる。すなわち、操作部７による一回の操作によりピニオンＲ１１を回動させる角度は伝達歯７２１ｃの歯数に応じてピニオンＲ１１の係合歯Ｒ１１０の４本分が回動する角度に設定されている。そしてこのとき、操作レバー７１は、弾性変形部位７１３により操作レバー７１の先端側を下方へ回動させる力を蓄積した状態となっている。
【００５５】
次に、操作レバー７１を上方へ回動させた状態において操作レバー７１を操作する操作力を解除すると、図８（ａ）に示すように弾性変形部位７１３の蓄積した弾性力によって操作レバー７１の先端側が下方へ回動する。このとき操作レバー７１の先端側に追従して遊動係合子７２も下方へ移動するが、このとき操作レバー７１の支持軸７１２が姿勢切換孔７２２の退避位置７２２ｂに位置することにより遊動係合子７２の上部がピニオンＲ１１より離間する方向へ傾斜した退避姿勢ｙａをとりながら下方へ移動する。このとき、ラック部分７２１の伝達歯７２１ｃとピニオンＲ１１の係合歯Ｒ１１０とは係合しない状態、すなわち通常使用状態ｙとなる。
【００５６】
一方、図８（ｂ）は操作レバー７１を動作終端に位置させた状態において、図示しない紙片Ｐを反転写方向へ移動させることにより転写ローラＲＴ及び補助ローラＲ１を反転写方向へ移動させた状態を示す。この状態においてピニオンＲ１１の係合歯Ｒ１１０がラック部分７２１に対して回動することにより係合歯Ｒ１１０の先端部Ｒ１１０ｂがラック部分７２１の傾斜面７２１ｂと当接すると、遊動係合子７２がピニオンＲ１１から斜め上方へ蹴り上げられた状態となって退避姿勢ｙａをとり、ピニオンＲ１１がラック部分７２１に対して空転する通常使用状態ｙとなる。また、操作レバー７１が動作終端になくとも、ラック部分７２１とピニオンＲ１１とが係合した係合姿勢ｘａから紙片Ｐを反転写方向へ移動させることにより補助ローラＲ１を回動させれば上述と同様に遊動係合子７２は退避姿勢をとる。つまり、本発明に係る切換機構Ｚは、操作部７を操作する一連の動作のうち、操作レバー７１を上方へ回動させている状態のみピニオンＲ１１を回動させ得る徐送機構Ｘを機能させた徐送状態ｘとし、操作レバー７１を下方に回動させた状態及び操作部７によらず補助ローラＲ１を回動させた状態では通常使用状態ｙとなるように、徐送状態ｘと通常使用状態ｙとを切り換える機能を有している。
【００５７】
このようにして、操作部７を繰り返し操作することにより転写具本体１と転写対象物受け台２との間に紙片Ｐを挟み込んだ状態（図５（ａ）参照）で転写ローラＲＴの転写面ＲＴａを紙片Ｐの表面に接触させて紙片Ｐを反転写方向に一定寸法ずつ徐々に移動させる。
【００５８】
また、上述した徐送機構Ｘに依存して紙片Ｐを反転写方向へ移動させる場合においても、通常使用状態ｙとして転写具Ａを転写方向へ移動させる場合においても、転写具Ａが転写方向へ糊Ｔｂを紙片Ｐに転写していく操作に伴って、補助ローラＲ１がその裏当て面Ｒ１ａを紙片Ｐの裏面に接触させながら転写ローラＲＴと連動して同期回転するとともに、一対の第２補助ローラＲ２ａ、Ｒ２ｂが紙片Ｐとの摩擦力により同期回転し、安定した転写作業を行うことができるように設定してある。そして、転写対象物受け台２のアーム部６をベース５に対して天秤動作可能に設定していることにより、アーム部６に設けた補助ローラＲ１及び第２補助ローラＲ２ｂが、転写具本体１に設けた転写ローラＲＴ及び第２補助ローラＲ２ａと適宜接離し、少なくとも補助ローラＲ１の裏当て面Ｒ１ａが転写時に紙片Ｐの裏面に接触するように設定している。また、補助ローラＲ１が天秤動作すると、ピニオンＲ１１も勿論天秤動作してしまい、該ピニオンＲ１１と操作部７との相対位置が若干ずれることとなるが、天秤動作の際に補助ローラＲ１が描く軌跡と操作レバー７１の先端側が描く軌跡とが近似するように設定しているため、操作レバー７１の先端側に支持される遊動係合子７２は常にピニオンＲ１１と係合し得る状態を維持することが可能となっている。なお、転写時には、転写面ＲＴａと紙片Ｐとの間に挟まれたテープ糊Ｔが摩擦力で巻出用ギアＧ１と共に回転する巻出用スプールＳＰ１から送り出され、テープ本体Ｔａの片面に貼着した糊Ｔｂが紙片Ｐに貼付されると同時に、巻出用ギアＧ１に伴って逆回転する巻取用ギアＧ２と共に巻取用スプールＳＰ２が回転することによって片面に糊Ｔｂを有しないテープ本体Ｔａが巻取用スプールＳＰ２に巻き取られることになる。そして、紙片Ｐにおける所望の領域を転写した後は、転写対象物受け台２を転写具本体１に近付ける方向への握力の付与を停止することによって、転写対象物受け台２が転写ヘッドＨから離間する方向に回転移動して不使用位置（Ｐ）となる（図５（ｂ）参照）。
【００５９】
一方、軸４１８を軸受け部５１１の第２大径部５１１ｂに位置させている場合、転写対象物受け台２が転写ヘッドＨの先端部を被覆し得る位置となっているが、この状態から軸受け部５１１の溝５１１ｃの延出方向に沿って軸４１８を第１大径部５１１ａに向かってスライド移動させると、図９に示すように転写対象物受け台２が転写ヘッドＨの先端部を表出させてなる転写ヘッド表出位置（Ｒ）となる。この状態で転写ヘッドＨを紙片Ｐに接触させて転写方向に転写具Ａを移動させることにより周知の転写具Ａと同様の使用態様で転写することができる。
【００６０】
以上のような構成とすることにより、本実施形態に係る転写具Ａは、使用状態（Ｏ）で転写面ＲＴａを通じて転写物たる糊Ｔｂを転写対象物たる紙片Ｐへ一定寸法で送り出す徐送機構Ｘと、該徐送機構Ｘを作用させた徐送状態ｘとこの徐送状態ｘを解除した前記通常使用状態ｙとを使用状態（Ｏ）のままで選択的に切り換える切換機構Ｚとを具備している。
【００６１】
このようなものとすることにより、徐送機構Ｘにより紙片Ｐに糊Ｔｂを一定寸法ずつ転写し得る徐送状態ｘと、従来の転写具と同様に任意の寸法糊Ｔｂを転写する態様、すなわち通常使用状態ｙとを切換機構Ｚにより連続的に切り換えることが可能となるので、徐送機構Ｘが機能し得る徐送状態ｘであっても、当該徐送状態ｘから通常使用状態ｙへと切換機構Ｚが使用状態（Ｏ）のままで選択的に切り換えるので、転写ヘッドＨの転写面ＲＴａを紙片Ｐから離すことなく糊Ｔｂを従来の転写具と同様に任意の寸法で転写する態様に任意に切換えることができる。さらに、従来の転写具では例えば転写対象物として薄い紙を用いた場合など、紙片Ｐの端部付近を手で押さえる力と転写具の転写面を所定の転写方向へ移動させる力によって、紙片Ｐを破ってしまう場合も考えられたが、本実施形態に係る転写具Ａであれば、徐送機構Ｘにより紙片Ｐに対して糊Ｔｂを一定寸法ずつ転写することができるので、紙片Ｐを破ってしまうことなく確実に糊Ｔｂを転写することができる。
【００６２】
また、本実施形態の転写具Ａには、転写ヘッドＨが転写時に回動し得る転写面ＲＴａを有する転写ローラＲＴを設けているので、転写面ＲＴａを転写方向へ移動させる際に紙片Ｐに加える力をより軽減させて円滑な転写を実現することができる。
【００６３】
そして、転写具Ａに、転写ヘッドＨの転写面ＲＴａに紙片Ｐを接触させた状態において紙片Ｐの裏面から当接する裏当て面Ｒ１ａを有する回動可能な補助ローラＲ１を設けているので、転写面ＲＴａへ紙片Ｐを適切に当接させて良好な転写性を得るとともに紙片Ｐを正確に反転写方向へ送ることができる。また、補助ローラＲ１を転写ヘッドＨの転写面ＲＴａに対向する位置に設けて紙片Ｐを表裏より圧迫した状態として反転写方向へ送り出す態様としているので、より良好な転写性を得ることができる。さらに、転写対象物受け台２が転写具本体１に対して回動可能に取り付けられていることと、転写ローラＲ１がアーム部６を介して取り付けられて天秤動作することで、裏当て面Ｒ１ａと転写面ＲＴａとを相対的に接離するように構成しているので、紙片Ｐの厚みに関らず好適に紙片Ｐを表裏より支持することができる。
【００６４】
また、転写具Ａに設けた徐送機構Ｘは、補助ローラＲ１を操作力により一定角度回動させて、紙片Ｐを反転写方向へ一定寸法移動させることにより転写ヘッドＨの転写面ＲＴａから転写物たる糊Ｔｂを引き出す結果糊Ｔｂを紙片Ｐへ一定寸法で送り出し得るものとしているので、徐送機構Ｘによって糊Ｔｂを転写するときに紙片Ｐに掛かる力を、紙片Ｐを厚み方向に圧迫する力と、紙片Ｐと転写面ＲＴａとの摩擦力と、紙片Ｐの裏面と裏当て面Ｒ１ａとの摩擦力のみとすることができる。そうすることにより、紙片Ｐに掛かる力をより望ましく軽減した状態で紙片Ｐを送り出すことができる。また、転写ローラＲＴが補助ローラＲ１と連動した状態である使用状態（Ｏ）の場合のみ徐送状態ｘと成り得る構成となり、転写ローラＲＴが補助ローラＲ１と連動しない場合に誤って徐送機構Ｘによって糊Ｔｂを転写してしまうという誤操作を有効に回避するものとしている。ここで、本実施形態において補助ローラＲ１を回動させる「一定角度」は、補助ローラ本体Ｒ１０とともに回動するピニオンＲ１１の係合歯Ｒ１１０を４本分回動させる角度に設定している。そして、切換機構Ｚを、上述した徐送機構Ｘに依存して補助ローラＲ１を一定角度回動させ得る徐送状態ｘと、徐送機構Ｘに依存せずに補助ローラＲ１が回動し得る通常使用状態ｙとを切り換えるように構成することにより、上述した徐送機構Ｘの動作をさらに確実なものとしている。
【００６５】
そして、転写具Ａは、転写対象物受け台２と前記転写具本体１との間に挿通空間ＡＳを形成し、該挿通空間ＡＳに内に少なくとも転写面ＲＴａが転写具本体１より表出するように転写ヘッドＨを配置するとともに、裏当て面Ｒ１ａを転写対象物受け台２より表出するように補助ローラＲ１を配置して、該挿通空間ＡＳに紙片Ｐを挿通させる構成として、転写面ＲＴａと裏当て面Ｒ１ａとでより安定して紙片Ｐを支持しつつ、紙片Ｐを反転写方向へ好適に移動させ得る構成としている。加えて、補助ローラＲ１を操作力により回動させ得る操作部７を転写対象物受け台２のベース５に設けることにより、様々な部品を内蔵し機構が複雑となりがちな転写具本体１に操作部７を設けることを有効に回避しているとともに、転写具Ａを手で握った状態において人差し指などで操作しやすい位置に操作部７を設定することを可能にしている。そして切換機構Ｚは、操作部７が補助ローラＲ１を一定角度回動させ得る徐送状態ｘと、操作部７に依存せずに補助ローラＲ１が回動し得る通常使用状態ｙとを切り換える構成としているので、操作部７の構成を付与するのみで徐送機構Ｘと切換機構Ｚとを具備した転写具Ａとすることをを実現している。
【００６６】
そして、操作部７が補助ローラＲ１を回動させる具体的な構成として、補助ローラＲ１を、補助ローラ本体Ｒ１０とピニオンＲ１１とで構成することにより、簡易な構成により操作部７が確実に補助ローラＲ１を回動させる構成を実現している。また、操作部７は、操作レバー７１と、ラック部分７２１を形成した遊動係合子７２とで構成され、係合姿勢ｘａと退避姿勢ｙａとをとり得るように構成しているので、少ない部品点数で操作部７を構成することを実現している。そして操作レバー７１は、枢着孔７１１においてベース５に枢着され、他端部たる先端側に形成した支持軸７１２により遊動係合子７２を支持しているので、回動運動を利用することによって操作レバー７１は単純な構成で高い精度を実現しつつ操作部７を構成する部品点数を有効に少くしている。さらに、操作レバー７１の枢着孔７１１を中心とする遊動係合子７２が移動する回動方向がピニオンＲ１１の接線方向に略合致しているので、操作レバー７１の回動による操作部７の正確な動作を実現している。そして切換機構Ｚは、遊動係合子７２がピニオンＲ１１と係合する係合姿勢ｘａをとった徐送状態ｘと、遊動係合子７２が退避姿勢ｙａをとった通常使用状態ｙとを切り換えるものであるので、遊動係合子７２の姿勢を切り換えるのみで徐送状態ｘと通常使用状態ｙとを切り換える構成とすることにより、操作部７の動作を安定したものとしている。
【００６７】
そして、ピニオンＲ１１が補助ローラＲ１の裏当て面Ｒ１ａを反転写方向に回動させるべく操作レバー７１を所定の操作方向たる上方へ回動させる場合に遊動係合子７２が係合姿勢ｘａをとる一方、操作レバー７１を下方へ回動させる場合に遊動係合子７２が退避姿勢ｙａをとるように切換機構Ｚを構成しているので、操作レバー７１を下方に回動させる場合にピニオンＲ１１が連動して逆向きに回動してしまうという誤操作を有効に回避することができる。そしてその詳細の構成として、操作レバー７１の他端部たる先端側に遊動係合子７２を支持する支持軸７１２を設けるとともに遊動係合子７２に支持軸７１２に支持される姿勢切換孔７２２を形成し、姿勢切換孔７２２を長孔としてその一端側に係合位置７２２ａを設定するとともに他端側に退避位置７２２ｂを設定し操作レバー７１を上方へ回動させる場合に前記支持軸が係合位置７２２ａに位置することにより遊動係合子７２が係合姿勢ｘａをとるとともに、操作レバー７１を下方へ回動させる場合に前記支持軸７１２が退避位置７２２ｂに位置することにより遊動係合子７２が退避姿勢ｙａをとるように構成しているので、別途部品を加えることなく操作レバー７１に支持される孔の形状を工夫するのみで切換機構Ｚとして機能させることを実現している。
【００６８】
さらに、操作レバー７１に弾性変形部位７１３を形成しているので、操作レバー７１を上方へ操作する際には良好な弾力感即ち好適な操作感を与えるとともに、手指を操作レバー７１から離すと弾性変形部位７１３が弾性変形した状態から復元することにより操作レバー７１は下方へ回動するため、手指は単に操作レバー７１を上方へ回動させる動作をするのみで操作レバー７１繰り返し操作することができる。すなわち指１本で操作可能なものに設定することも可能である。
【００６９】
そして、遊動係合子７２が係合姿勢ｘａにある徐送状態ｘにおいて、伝達歯７２１ｃの伝達面７２１ａが係合歯Ｒ１１０の係合面Ｒ１１０ａに当接する方向へラック部分７２１の伝達歯７２１ａが動作した場合に遊動係合子７２が係合姿勢ｘａをとりながらピニオンＲ１１がラック部分７２１に連動して反転写方向へ回動するように徐送機構Ｘを構成し、さらに、この徐送状態ｘにおいてピニオンＲ１１の係合歯Ｒ１１０が動作して係合歯Ｒ１１０の先端部Ｒ１１０ｂが伝達歯７２１ｃの傾斜面７２１ｂに当接した場合に、ラック部分７２１とピニオンＲ１１とが離間して遊動係合子７２が係合姿勢ｘａから退避姿勢ｙａへと切り換わることによりピニオンＲ１１がラック部分７２１に対して空転する通常使用状態ｙへと切り換わるように切換機構Ｚを構成しているので、遊動係合子７２のラック部分７２１がピニオンＲ１１に係合した係合姿勢ｘａを構成しているときであっても好適に退避姿勢ｙａとして通常使用状態ｙへ切り換えることができる。また、このような機能をピニオンＲ１１及びラック部分７２１の形状を工夫するのみで、別体の部材を追加することなく実現している。
【００７０】
加えて、本実施形態に係る転写具Ａは、転写具本体１と転写対象物受け台２とを具備してなり、該転写対象物受け台２と前記転写具本体１との間に紙片Ｐを挿通可能な挿通空間ＡＳを形成し、該挿通空間ＡＳ内において転写面ＲＴａを紙片Ｐに対し停止させ且つ圧着させた状態で徐送機構Ｘを機能させているので、挿通空間ＡＳにおいて紙片Ｐを転写ヘッドＨと転写対象物受け台２との間に挟み込んで、例えば紙片Ｐを手で持った状態のままで徐送機構Ｘによって一定寸法ずつ連続的に転写することができる。
【００７１】
そして、本実施形態の変形例として、転写対象物受け台２に操作部８設けた態様を図１０に示す。
【００７２】
この操作部８は、転写対象物受け台２と回動軸を同じくする操作レバー８１と、遊動係合子８２により構成されており、操作レバー８１に設けた姿勢切換孔８１１に遊動係合子８２の両側方に設けた支持軸８２２をけんどん方式等によって取り付けて、操作レバー８１をベース５に下方より組み込んだ状態とするとともに該組み込んだ状態では支持軸８２２が姿勢切換孔８１１における係合位置８１１ａに位置するように遊動係合子８２の位置を設定し、該遊動係合子８２のラック部分８２１がピニオンＲ１１に係合する態様としている。また、紙片Ｐを反転写方向に移動させることにより、操作レバー８１の操作に依存せず補助ローラＲ１、即ちピニオンＲ１１を回転させるときはピニオンＲ１１とラック部分８２１との係合が解除され、遊動係合子８２は支持軸８２２が姿勢切換孔における退避位置８２２ｂへ移動するようになっているが、このとき遊動係合子８２に形成された弾性変形部８２３の先端部８２３ａが、操作レバー８１における当たり面８１２に当接することにより支持軸８２２を姿勢切換孔８１１における係合位置８１１ａへスライド移動させる方向の弾性を蓄積するものとなっている。
【００７３】
このようなものとすることにより、遊動係合子８２は操作レバー８１の操作に好適に追従し得るものとして安定して動作させることができるとともに、遊動係合子８２の支持軸８２２の位置を、必要に応じて姿勢切換孔８１１における係合位置８１１ａと退避位置８１１ｂとに好適に切り換え得るものとすることができる。
【００７４】
続いて、本発明の第二実施形態に係る転写具Ａについて図１１〜図１４を用いて説明する。
【００７５】
なお本実施形態において、上記実施形態と同様の構成要素については同様の符号を付し、詳細な説明を省略するものとする。
【００７６】
この転写具Ａは、図１に示すように、テープ糊Ｔやそれを送り出す送出機構部品を収容したケース４及びこのケース４を保持するとともにケース４に対して相対的に回動し得るように設けられた枠体４Ｗからなる転写具本体１と糊Ｔｂを転写する際に枠体４Ｗとの間に紙片Ｐを差し挟むための転写対象物受け台２と、当該転写対象物受け台２に対して回動可能に取り付けた操作レバー７１を有する操作部７とを主たる構成部品としている。また、転写対象物受け台２は、図１１〜図１３に示すように、紙片Ｐ（図示せず）を挿通させるために枠体４Ｗの下端との間に所定高さの挿通空間ＡＳを前後に亘って形成するものである。
【００７７】
ここで、本実施形態に係る転写具Ａは上記第一実施形態において詳述した徐送機構Ｘ並びに切換機構Ｚの他に、通常使用状態ｙにおいて操作部７を構成する遊動係合子７２のラック部分７２１と後述するピニオンＲ１１とを互いに接触し得ない距離に離間させる解除機構Ｓをさらに具備しているものである。
【００７８】
以下、転写具Ａの具体的な構造について詳述する。
【００７９】
転写具本体１は、ケース４及び枠体４Ｗを主たる構成要素としている。
【００８０】
ケース４は、概ね半割構造をなす詰め替えカートリッジ３とケース本体４０とで構成することとしている。また、詰め替えカートリッジ３の前端部に転写ヘッドＨを取り付けている。そして、消耗部品たるテープ糊Ｔと、テープ糊Ｔを紙片Ｐに供給するための送出機構部品の一部である巻き出しスプールＳＰ１、巻き取りスプールＳＰ２、転写ヘッドＨ等を交換部品として、当該詰め替えカートリッジ３に付帯させた状態で新品と交換するようにしている。そして、ケース本体４０は、通常は枠体４Ｗや転写対象物受け台２とは分離させない状態で詰め替えカートリッジ３のみを交換できるように構成されたものであり、テープ糊Ｔを紙片Ｐに供給するための送出機構部品の一部である非交換部品を保持している。
【００８１】
枠体４Ｗは、図１１に示すように、ケース４を保持して転写具Ａを使用可能な状態とする機能と、ケース４をケース本体４０と詰め替えカートリッジ３とに分解可能な状態とする機能とを兼ね備えたものである。具体的にこの枠体４Ｗは、上下に連続して開口する枠状をなすものであり、合成樹脂の一体成形品としているが、ケース４よりも厚肉で剛性の高いものを採用している。また、ケース本体４０を枠体に回動可能に支持している。なお、枠体４Ｗの下端部には転写対象物受け台２及び後述する操作レバー７１を回動可能に支持する軸４１８を有している。なお、枠体４Ｗの下方から転写ヘッドＨにおける転写ローラＲＴを表出させて、転写面ＲＴａを挿通空間ＡＳ内に位置付けている。
【００８２】
転写対象物受け台２は、図１１及び図１２に示すように、転写具本体１に対して回動可能に取り付けられ、転写具本体１とともに挿通空間ＡＳを形成するものである。
【００８３】
転写対象物受け台２は図１１に示すように、枠体４Ｗとの間に転写対象物たる紙片Ｐを差し挟んだ状態で糊Ｔｂを転写することができるようにするためのものであり、枠体４Ｗと共にケース４に対して回動し得るように構成されている。具体的にこの転写対象物受け台２は、図１１〜図１３に示すように、紙片Ｐを挿通させるために枠体４Ｗの下端との間に所定高さの挿通空間ＡＳを前後に亘って形成するものである。補助ローラＲ１は、その転写対象物受け台２の先端よりに位置付けられているものである、また、補助ローラＲ１は、挿通空間ＡＳに表出して、紙片Ｐの裏側から当接し得る裏当て面としている補助ローラ本体Ｒ１０と、該補助ローラ本体Ｒ１０と共に回動するピニオンＲ１１とを具備している。また、転写対象物受け台２の下面側において後述する遊動係合子７２のカム面たる切欠７２４と対向する位置には後述する付勢部たる突起２Ｔを形成している。
【００８４】
操作部７は、図１２に示すように、転写対象物受け台２の下側を略覆うように且つ転写具本体１の軸４１８に対して同軸に取り付けた操作レバー７１を主体とするものであり、転写対象物受け台２と操作レバー７１との間に形成される内部空間に、遊動係合子７２とコイルバネ７３とを収納している。なお、上述の補助ローラＲ１もこの内部空間に収納している。
【００８５】
操作レバー７１は、上述の通り転写対象物受け台２の下側を略覆うように取り付けられたものであり、転写対象物受け台に取り付けた際に形成された内部空間に遊動係合子７２を支持する遊動係合子支持部７１０を形成している。この遊動係合子支持部７１０は操作レバーの下側に形成された支持台７１４と、当該支持台７１４より上面視概略コの字状に起立する支持壁７１５とによって構成されているものである。支持台７１４は遊動係合子７２の下部に形成された後述する弾性変形部７２６の下面側に略接し得る形状をしたものである。また、支持壁７１５は遊動係合子７２の厚み方向から挟むように起立する一対の側壁７１５ａとこの側壁７１５ａ間に介在する後壁７１５ｂとを有しており、側壁７１５ａには遊動係合子７２の後述する支持軸７２５を前後方向に移動可能に収納する姿勢切換部たる姿勢切換孔７１６を形成している。なお、遊動係合子７２の支持軸７２５をこの姿勢切換孔７１６に支持させることにより、遊動係合子７２をピニオンＲ１１に係合する係合姿勢ｘａと、ピニオンに対して係合しない退避姿勢ｙａと、ピニオンＲ１１に対して接触し得ない距離にまで離間した解除姿勢ｓａとに姿勢変更することが可能となっている。
【００８６】
遊動係合子７２は、ピニオンＲ１１に接する位置に当該ピニオンＲ１１に係合して補助ローラＲ１の裏当て面Ｒ１ａを反転写方向へ回動させ得るラック部分７２１を形成している。そして、遊動係合子７２の中央部には上述の姿勢切換孔７１６に収納され得る支持軸７２５を遊動係合子７２の厚み方向に突出させることにより形成している。また、遊動係合子７２の下側には上述の支持台７１４に支持され得る突起状の弾性変形部７２６を形成しており、遊動係合子７２が退避姿勢ｙａ或いは解除姿勢ｓａをとった際に弾性変形部７２６が弾性変形することにより係合姿勢ｘａへ適宜復元させる作用を奏している。詳細に説明すると、弾性変形部７２６の先端部分はさらに下方へ突出させて形成しており、この突出部分を支持台７１４に当接させて弾性変形部７２６の先端側を若干持ち上げた状態で遊動係合子７２を載置することにより、遊動係合子７２全体を若干ピニオンＲ１１に対して傾斜させて当該ピニオンＲ１１に対して一定強度の弾性付勢力を予め付与しラック部分７２１がピニオンＲ１１に良好に係合し得る状態を実現している。一方、遊動係合子７２の上面側には上述の突起２Ｔに当接し得る側面視Ｖ字状のカム面たる切欠７２４を形成している。そして、このＶ字形状の切欠７２４における突起２Ｔに接し得る傾斜面を摺接面７２４ａとし、Ｖ字形状の底をなす部分を位置決め部７２４ｂとしている。なお、本実施形態においてラック部分７２１及びピニオンＲ１１は、上記第一実施形態と同様の形状を採用している。
【００８７】
コイルバネ７３は、転写対象物受け台２と操作レバー７１との間に挿入されるものであり、操作レバー７１と転写対象物受け台２との距離を離間させる方向に弾性付勢するものであるが、このような弾性付勢をなすものであれば、本実施形態のようなコイルバネ７３に限られることはなく、例えば板バネや弾性を有する他の部材を適宜取り付ける等、他の構造を採用したものであっても良い。
【００８８】
以上の構造のもとで、この転写具Ａは上記第一実施形態と同様に、操作レバー７１を回動させることにより遊動係合子７２がピニオンＲ１１と係合してピニオンＲ１１を一定角度回動させることにより紙片Ｐに一定寸法ずつ糊Ｔｂを転写する徐送状態ｘとする徐送機構Ｘと、当該徐送機構Ｘによる徐送状態ｘから、例えば手指により紙片Ｐを移動させた場合にピニオンＲ１の回動によって遊動係合子７２が移動して適宜徐送状態ｘを解除して通常使用状態ｙとする切換機構Ｚを構成している。
【００８９】
しかして、本実施形態に係る転写具Ａは上述した徐送機構Ｘ並びに切換機構Ｚに加えて、操作レバー７１の操作にともなって遊動係合子７２を、ピニオンＲ１１とラック部分７２１とが係合する係合姿勢ｘａからピニオンＲ１１とラック部分７２１とが離間した解除姿勢ｓａへと移動させることにより、通常使用状態ｙにおいてラック部分７２１とピニオンＲ１１とを互いに接触し得ない距離に離間させる解除機構Ｓをさらに具備しているものである。詳述すると、解除機構Ｓを、遊動係合子７２を係合姿勢ｘａと解除姿勢ｓａとをとり得るように移動可能に支持し得る遊動係合子支持機構Ｓ１と、操作レバー７１の回動動作を係合姿勢ｘａから解除姿勢ｓａへの退避動作に変換する動作力変換機構Ｓ２とによって構成している。さらに詳述すると、遊動係合子支持機構Ｓ１は遊動係合子７２の支持軸７２５及び弾性変形部７２６と、操作レバー７１に形成された遊動係合子支持部７１０とによって構成されるものであり、動作力変換機構Ｓ２は転写対象物受け台２に形成された突起２Ｔと遊動係合子７２に形成された切欠７２４とによって構成されるものである。
【００９０】
次に、図１２、図１３及び図１４を用いて操作レバー７１の一連の回動動作に伴う解除機構の動作について詳細に説明する。ここで図１４（ａ）〜図１４（ｅ）は図１２に示した状態から操作レバー７１を回動させて図１３に示した状態に至るまでの一連の動作を模式的に示すものである。
【００９１】
まず、図１４（ａ）に示す状態は、図１２と同様に操作レバー７１が当該操作レバー７１の回動範囲における回動始端ＲＳに位置する状態、例えば操作レバー７１に操作力が付与されていない状態を示す。この状態においてラック部分７２１の上部はピニオンＲ１１に接した係合姿勢ｘａをとっている。この状態から操作レバー７１を回動させ図１４（ｂ）に示す状態並びに図１４（ｃ）に示す状態ではピニオンＲ１１に対して遊動係合子７１が係合姿勢ｘａをとりながら操作レバー７１の動作に従って上昇することによりラック部分７２１がピニオンＲ１１を回転させることとなる。一方、遊動係合子７２の上部に形成された切欠７２４は転写対象物受け台２に形成された突起２Ｔに徐々に近接している。そして、操作レバー７１が回動終端ＲＥ付近まで回動させた図１４（ｄ）に示す状態では、切欠７２４における摺接面７２４ａの上端付近と突起部２Ｔの先端とが当接した状態となり、操作レバー７１の回動に伴って突起２Ｔの先端を摺接面７２４ａに沿って摺動させながらラック部分７２１がピニオンＲ１１に対して退避動作を行うこととなる。このとき、弾性変形部７２６は支持台７１４に略固定された状態で支持されているため弾性変形部７２６の、特に基端部分が弾性変形しながら支持軸７２５が姿勢切換孔７１６に沿って移動する。そして、図１４（ｅ）或いは図１３に示す操作レバー７１が操作力によって回動終端ＲＥに到達した状態では、突起２Ｔの先端が切欠７２４の底部に当たる位置決め部７２４ｂに当接することにより遊動係合子７２が解除姿勢ｓａに位置決めされる。この状態において遊動係合子７２は、ラック部分７２１がピニオンＲ１１に対して完全に離間して接触し得ない状態で位置決めされた状態となっている。言い換えれば、この解除姿勢ｓａにおいてラック部分７２１は、ピニオンＲ１１が回転する範囲より完全に退避した状態となっている。
【００９２】
一方（ｅ）及び図１３に示すような操作レバー７１を回動終端ＲＥに位置付けた状態から例えば使用者が握力を緩めるなどして作用力を解除すると、コイルバネ７３の弾性反発力が働き操作レバー７１は回動終端ＲＥから回動始端ＲＳへと復元する。そのとき位置決め部７２４ｂによって位置決めされた遊動係合子７２は突起２Ｔの先端が摺接面７２４ａに沿って摺動するように移動した後、切欠７２４が突起２Ｔから離間するとともに、遊動係合子における弾性変形部７２６の弾性反発力により支持軸７２５が姿勢切換孔７１６に沿って移動しながら遊動係合子７２は係合姿勢ｘａをとり図１４（ａ）並びに図１２に示す状態へと戻ることとなる。
【００９３】
以上のように、本発明の第二実施形態に係る転写具Ａは、ラック部分７２１とピニオンＲ１１とを互いに接触し得ない距離に離間させる解除機構Ｓを具備している。そのため、通常使用状態ｙにおいてピニオンＲ１１が回転する際にラック部分７２１に衝突することによって起こる衝突音の発生を有効に防止することが可能である。また、ラック部分７２１とピニオンＲ１１との衝突を回避することによりピニオンＲ１１と遊動係合子７２のラック部分７２１とが摩耗することを防止することができ、ひいては転写具Ａ自体の耐久性の向上に寄与するものとなっている。
【００９４】
また、解除機構Ｓが遊動係合子７２を移動させる構成を採用することにより、補助ローラＲ１及びピニオンＲ１１の設定を変更することなく、解除機構Ｓを好適に設定しているため、補助ローラの動作安定性を有効に確保している。
【００９５】
さらに、操作レバー７１の回動範囲のうち回動終端ＲＥ付近において遊動係合子７２を解除姿勢ｓａとするように構成しているので、操作レバー７１を動作させ徐送機構Ｘによる動作を行っている状態から格別な操作を必要とせずに簡便且つ好適に解除機構Ｓを作動させ得るものとなっている。
【００９６】
また、操作レバー７１を回動させた際に逆方向の弾性反発力を蓄積する弾性部材たるコイルバネ７３を取り付けているので、操作レバー７１を所望のタイミングで動作させて解除姿勢ｓａとし、また所望のタイミングで解除姿勢ｓａから係合姿勢ｘａとすることが可能である。
【００９７】
特に、解除機構Ｓを、遊動係合子７２を係合姿勢ｘａと解除姿勢ｓａとをとり得るように移動可能に支持し得る遊動係合子支持機構Ｓ１と、操作レバーを回動させる動作を、遊動係合子７２が係合姿勢ｘａから解除姿勢ｓａへの退避動作に変換する動作力変換機構Ｓ２とを具備している。このような構成とすることにより、遊動係合子７２を移動可能に支持する遊動係合子支持機構Ｓ１と、遊動係合子７２を係合姿勢ｘａと解除姿勢ｓａとに相互に移動させる動作力変換機構Ｓ２とを分離して構成しているため、遊動係合子７２が移動し得る移動範囲と遊動係合子７２を移動させるタイミングとをそれぞれ好適に設定した構造を実現している。
【００９８】
詳細には、遊動係合子支持機構Ｓ１を、支持軸７２５と、姿勢切換孔７１６とによって構成するといった簡素な構造を採用しながらも遊動係合子７２を正確に移動させ得るものとしている。また、遊動係合子７２が解除姿勢ｓａをとる際に係合姿勢ｘａへ復帰させる弾性反発力を蓄積する弾性変形部７２６を有しているため、遊動係合子７２を係合姿勢ｘａ及び解除姿勢ｓａに相互に好適に移動させ得るものとなっている。
【００９９】
一方、動作力変換機構Ｓ２を、遊動係合子７２に形成したカム面たる切欠７２４と、転写対象物受け台２の下面側における切欠７２４に対向する位置に形成した付勢部たる突起２Ｔによって構成することにより、操作レバー７１に付与される動作力を好適に遊動係合子７２の姿勢変更に変換するものとしている。加えて、簡素な構造で動作力変換機構Ｓ２を実現している。そして、このような構成とすることにより、遊動係合子７２の形状を適宜変更すれば、遊動係合子７２の姿勢変更動作の設定を行いやすいものとしている。そして、切欠７２４に位置決め部７２４ｂを形成して操作レバー７１の回動終端ＲＥにおいて好適に遊動係合子７２を解除姿勢ｓａに位置決めし得るものとしている。
【０１００】
以上、本発明の一実施形態について説明したが、本発明は上述した実施形態のみに限定されるものではない。
【０１０１】
例えば、上記第一実施形態では転写対象物受け台２側に操作部７を設け、徐送機構Ｘ及び切換機構Ｚは、補助ローラＲ１に対して作用するものとしていたが、例えば、操作部７を転写具本体１側に設けるなどして転写ローラＲＴを外力により一定角度回動させる徐送機構Ｘを構成することにより、糊Ｔｂを紙片Ｐへ一定寸法で送り出し得るものとしてもよい。そのようなものであれば、紙片Ｐに掛かる力は、紙片Ｐを厚み方向に圧迫する力と、転写面ＲＴａと接する箇所に掛かる摩擦力のみとすることが紙片Ｐを破ることなく送り出すことができるとともに、転写対象物受け台２を具備しない転写具に対しても本発明を適用することができる。このような徐送機構Ｘを構成した場合の切換機構Ｚの望ましい態様として、切換機構Ｚが、徐送機構Ｘに依存して転写ローラＲＴを一定角度回動させ得る徐送状態ｘと、転写ローラＲＴが徐送機構Ｘに依存せずに回動し得る通常使用状態ｙとを切り換えるものであることが望ましい。
【０１０２】
また例えば、上記第二実施形態では、ラック部分７２１を有する遊動係合子７２を移動させる構成としていたが、本発明に係る解除機構Ｓはラック部分７２１或いはピニオンＲ１１のどちらを移動させるものであるかを限定するものではなく、例えば両方を移動させるものであっても良い。さらに解除機構Ｓは、操作レバー７１の何れの動作範囲において解除姿勢ｓａとするものであっても良い。例えば操作レバーの動作範囲のうち回動始端ＲＳ付近において遊動係合子７２を解除姿勢ｓａへと移動させるものであっても良い。
【０１０３】
さらに本発明において、補助ローラ或いは転写ローラを回動させる態様は直接的であるのか或いは間接なものであるのかを問わない。すなわち、補助ローラ或いは転写ローラを直接手指などで一定角度回動させ得る態様をも含むものである。また、上記実施形態では弾性変形部位を転写対象物受け台側の操作レバーに設け、転写具本体に接することにより機能するものとしていたが、弾性変形部位は操作レバーに当接する転写具本体側の所定箇所に設定するなど、転写具本体側に設定する態様や、操作レバー自体に設ける態様であってもよい。
【０１０４】
その他、各部の具体的構成についても上記実施形態に限られるものではなく、本発明の趣旨を逸脱しない範囲で種々変形が可能である。
【産業上の利用可能性】
【０１０５】
本発明は、転写物を転写対象面に転写する際に用いる転写具として利用することができる。
【符号の説明】
【０１０６】
１  …転写具本体
２  …転写対象物受け台
２Ｔ…付勢部（突起）
７、８  …操作部
７１、８１…操作レバー
７１２、８２２…支持軸
７１３…弾性変形部位
７１６…姿勢切換部（姿勢切換孔）
７２、８２…遊動係合子
７２１、８２１…ラック部分
７２２、８１１…姿勢切換孔
７２２ａ、８１１ａ…係合位置
７２２ｂ、８１１ｂ…退避位置
７２１ａ…伝達面
７２１ｂ…傾斜面
７２１ｃ…伝達歯
７２４…カム面（切欠）
７２４ｂ…位置決め部
７２５…支持軸
７３…弾性部材（コイルバネ）
７２６、８２３…弾性変形部
Ａ  …転写具
ＡＳ…挿通空間
Ｈ  …転写ヘッド
ＲＴ…転写ローラ
ＲＴａ…転写面
Ｒ１…補助ローラ
Ｒ１ａ…裏当て面
Ｒ１０…補助ローラ本体
Ｒ１１…ピニオン
Ｒ１１０…係合歯
Ｒ１１０ａ…係合面
Ｒ１１０ｂ…先端部
ＲＥ…回動終端
Ｓ  …解除機構
ｓａ…解除姿勢
Ｓ１…遊動係合子支持機構
Ｓ２…動作力変換機構
Ｔｂ…転写物（糊）
Ｐ  …転写対象物（紙片）
Ｘ  …徐送機構
ｘ  …徐送状態
ｘａ…係合姿勢
Ｚ  …切換機構
ｙａ…退避姿勢
ｙ  …通常使用状態
【図１】
2010264759.tif 000003
【図２】
2010264759.tif 000004
【図３】
2010264759.tif 000005
【図４】
2010264759.tif 000006
【図５】
2010264759.tif 000007
【図６】
2010264759.tif 000008
【図７】
2010264759.tif 000009
【図８】
2010264759.tif 000010
【図９】
2010264759.tif 000011
【図１０】
2010264759.tif 000012
【図１１】
2010264759.tif 000013
【図１２】
2010264759.tif 000014
【図１３】
2010264759.tif 000015
【図１４】
2010264759.tif 000016
【手続補正書】
【提出日】平成22年7月27日(2010.7.27)
【手続補正１】
【補正対象書類名】特許請求の範囲
【補正対象項目名】全文
【補正方法】変更
【補正の内容】
【特許請求の範囲】
【請求項１】
転写物を紙等の転写対象物に転写する際に用いられる転写具において、
少なくとも前記転写物を前記転写対象物に接触させ得る転写ヘッドを有する転写具本体を具備し、前記転写ヘッドが、前記転写物の前記転写対象物への転写時に前記転写対象物に接触し且つ転写物を転写する部位である転写面を有し、通常使用状態では前記転写対象物に対して前記転写面を接触させて所定の転写方向へ移動させることにより前記転写物を前記転写対象物に転写するように構成したものであって、
前記転写面を前記転写対象物に対し停止させ且つ圧着させた状態から当該圧着させた状態を維持しながら前記転写面を前記転写対象物に圧着させる方向の操作力によって前記転写面を通じて転写物を転写対象物へ一定寸法で送り出す徐送機構と、該徐送機構を作用させた徐送状態とこの徐送状態を解除した前記通常使用状態とを選択的に切り換える切換機構とを具備していることを特徴とする転写具。
【請求項２】
前記切換機構が、前記転写面を前記転写対象物に圧着させた状態のままで前記徐送状態から前記通常使用状態へと選択的に切り換えるものである請求項１記載の転写具。
【請求項３】
前記転写ヘッドが転写時に回動し得る前記転写面を有してなる転写ローラを具備するものである請求項１又は２記載の転写具。
【請求項４】
前記徐送機構が、前記転写ローラを外力により一定角度回動させることにより、前記転写物を前記転写対象物へ一定寸法で送り出し得るものである請求項３記載の転写具。
【請求項５】
前記切換機構が、前記徐送機構に依存して前記転写ローラを一定角度回動させ得る徐送状態と、前記転写ローラが前記徐送機構に依存せずに回動し得る通常使用状態とを切り換えるものである請求項４記載の転写具。
【手続補正２】
【補正対象書類名】明細書
【補正対象項目名】全文
【補正方法】変更
【補正の内容】
【発明の詳細な説明】
【技術分野】
【０００１】
本発明は、転写物を転写対象面に転写する際に用いる転写具に関するものである。
【背景技術】
【０００２】
従来より、転写物を転写対象物に転写する際に用いる転写具が種々案出されている。ここで、転写物には、例えば、粘着テープや粘着性を有しないテープ等のテープ類、固体又は液体のり、接着剤等が挙げられる。このような転写物を転写するための従来の転写具は、転写物を内部に保持する転写具本体と、この転写具本体に保持された転写物を転写対象物に送り出すための転写ヘッドとを備えているのが通例である。この転写ヘッドには、転写対象面に接触して転写物を転写対象面に転写する転写面が形成されている。すなわち、このような従来の転写具は、使用者が転写具本体を手に持ち、転写対象面に転写面を接触させた状態で転写対象面上を連続的に移動させることによって、転写物を転写対象面に転写するように構成されている。(例えば、特許文献１参照)。
【０００３】
上述したような従来の転写具では、転写物を転写対象物に転写する際、専ら転写具本体も持つ手を調節して転写具本体を移動させることにより転写物を転写する寸法を任意に決定するが、例えば転写物を所定の箇所に一定寸法のみ転写したい場合など、正確に一定寸法のみ転写できない場合があった。また、紙の端部或いは端部付近より転写対象物に転写ヘッドの転写面を接触させた状態で転写対象面上を移動させるときには通常、転写させる箇所の近傍を手で押さえた状態で、端部に転写面を押し当て転写具本体を移動させるが、このとき転写対象物として薄い紙などを用いた場合では、該転写対象物の端部付近を手で押さえる力と転写面を所定の転写方向へ移動させる力によって、転写対象物が破れてしまう可能性を有していた。
【０００４】
他方、特許文献１に記載されているような転写具を用いれば、予め転写物を一定寸法露出させた状態で転写対象物に押し付けることにより的確に一定寸法のみ転写物を転写することができる。しかしながら、このような転写具を用いて転写物を任意の寸法で転写しようとすれば、転写物を一定寸法転写するための押し付け動作を間欠的に繰り返さなければならず、転写物を転写する作業効率が著しく劣ってしまうこととなる。
【先行技術文献】
【特許文献】
【０００５】
【特許文献１】特開２００２−２６４５８８号公報
【発明の概要】
【発明が解決しようとする課題】
【０００６】
本発明は、このような不具合に着目したものであり、任意の寸法転写物を転写する態様と、一定寸法ずつ連続的に転写物を転写可能な態様とを併せて実現する転写具を提供する。
【課題を解決するための手段】
【０００７】
本発明は、このような目的を達成するために、次のような手段を講じたものである。すなわち、本発明に係る転写具は、転写物を紙等の転写対象物に転写する際に用いられる転写具において、少なくとも前記転写物を前記転写対象物に接触させ得る転写ヘッドを有する転写具本体を具備し、前記転写ヘッドが、前記転写物の前記転写対象物への転写時に前記転写対象物に接触し且つ転写物を転写する部位である転写面を有し、通常使用状態では前記転写対象物に対して前記転写面を接触させて所定の転写方向へ移動させることにより前記転写物を前記転写対象物に転写するように構成したものであって、前記転写面を前記転写対象物に対し停止させ且つ圧着させた状態から当該圧着させた状態を維持しながら前記転写面を前記転写対象物に圧着させる方向の操作力によって前記転写面を通じて転写物を転写対象物へ一定寸法で送り出す徐送機構と、該徐送機構を作用させた徐送状態とこの徐送状態を解除した前記通常使用状態とを選択的に切り換える切換機構とを具備していることを特徴とする。
【０００８】
なお、本明細書において「転写方向」とは、転写物を転写するために転写面を転写対象物に対して移動させる方向を指すものとする。このような構成とすることにより、本発明に係る転写具は、徐送機構により転写物を一定寸法ずつ転写する態様と、任意の寸法転写物を転写する態様とを切換機構により連続的に切り換えることが可能となる。さらに、従来の転写具では例えば転写対象物として薄い紙などを用いた場合、転写対象物の端部付近を手で押さえる力と転写面を所定の転写方向へ移動させる力によって、転写対象物を破ってしまう場合も考えられたが、本発明に係る転写具であれば、徐送機構により転写対象物に対して転写物を一定寸法ずつ転写することができ、転写対象物として薄手の紙を用いた場合でも破れてしまうことなく確実に転写物を転写することができる。
【０００９】
さらに、徐送機構により一定寸法ずつ転写物を転写し得る徐送状態であっても、当該徐送状態から通常使用状態へと切換機構が転写面を転写対象物に圧着させた状態のままで選択的に切り換えるものであれば、転写面を転写対象物から離すことなく転写物を従来の転写具と同様に任意の寸法で転写物を転写する態様に任意に切換えることができるために望ましい。また、転写面を転写方向へ移動させる際に転写対象物に加える力をより軽減させて円滑な転写を実現するためには、前記転写ヘッドが転写時に回動し得る前記転写面を有してなる転写ローラを具備するものであることが望ましい。
【００１０】
前述したような転写面を転写方向へ移動させる際に転写対象物に加える力を軽減して転写物を一定寸法で転写する徐送機構を構成するためには、当該徐送機構を、前記転写ローラを外力により一定角度回動させることにより、前記転写物を前記転写対象物へ一定寸法で送り出し得るものとすることを挙げることができる。また、上述したような徐送機能を採用した場合には切換機構を、前記徐送機構に依存して前記転写ローラを一定角度回動させ得る徐送状態と、前記転写ローラが前記徐送機構に依存せずに回動し得る通常使用状態とを切り換えるものとすることが望ましい。
【発明の効果】
【００１１】
上述したように本発明によれば、転写面を転写対象物に対し停止させ且つ圧着させた状態で該転写面を通じて転写物を転写対象物へ一定寸法で送り出す徐送機構と、該徐送機構を作用させた徐送状態とこの徐送状態を解除した通常使用状態とを転写面を転写対象物に接触させたままで選択的に切り換える切換機構とを具備しているので、転写物を一定寸法ずつ転写する態様と、任意の寸法転写物を転写する態様とを連続的に切り換えることが可能となる。すなわち、徐送機構により一定寸法ずつ転写物を転写し得る徐送状態であっても、切換機構が徐送状態から通常使用状態へと転写面を転写対象物に圧着させた状態のままで選択的に切り換えるので転写対象物から転写面を離すことなく転写物を従来の転写具と同様に任意の寸法で転写物を転写する態様に任意に切換えることができる。さらに、従来の転写具では例えば転写対象物として薄い紙などを用いた場合、転写対象物の端部付近を手で押さえる力と転写面を所定の転写方向へ移動させる力によって、転写対象物を破ってしまう場合も考えられたが、徐送機構により転写対象物に対して転写物を一定寸法ずつ転写することができ、転写対象物として薄手の紙を用いた場合でも破れてしまうことなく確実に転写物を転写することができる。
【００１２】
また本発明によれば、転写対象物を転写ヘッドと転写対象物受け台との間の挿通空間に挟み込んだ状態とすれば、転写対象物を転写具本体とともに手で持った状態のままで徐送機構によって一定寸法ずつ連続的に転写することができ、転写対象物として薄手の紙を用いた場合でも破れてしまうことなく確実に転写物を転写することができる。
【図面の簡単な説明】
【００１３】
【図１】本発明の第一実施形態に係る転写具の全体斜視図。
【図２】同実施形態に係る分解斜視図。
【図３】同実施形態に係る要部斜視図。
【図４】同実施形態に係る要部分解斜視図。
【図５】同実施形態に係る側面図。
【図６】図５（ａ）に係るＢ−Ｂ断面図。
【図７】同実施形態に係る動作説明図。
【図８】同実施形態に係る動作説明図。
【図９】同実施形態に係る側面図。
【図１０】同実施形態の変形例に係る斜視図。
【図１１】本発明の第二実施形態に係る転写具の全体図。
【図１２】同実施形態に係る要部断面図。
【図１３】同実施形態に係る構成説明図。
【図１４】同実施形態に係る動作説明図。
【発明を実施するための形態】
【００１４】
以下、本発明の一実施の形態について図面を参照して説明する。
【００１５】
本実施形態に係る転写具Ａは、例えば図１、図２等に示すように、テープ本体Ｔａと、このテープ本体Ｔａの片面に貼付した転写物たる糊Ｔｂとからなるテープ糊Ｔを転写対象物たる紙片Ｐに貼付するものである。
【００１６】
転写具Ａは、主として、前記テープ糊Ｔを保持し且つテープ糊Ｔを紙片Ｐに接触させ得る転写ヘッドＨを有する転写具本体１と、この転写具本体１に付帯させてなる転写対象物受け台２とを備えたものである。
【００１７】
そして、この転写具Ａは、この転写対象物受け台２に、後述する操作レバー７１を具備する操作部７を設けている。この操作部７は、後述する補助ローラＲ１とともに、テープ糊Ｔを後述する転写面ＲＴａを介して転写対象物たる紙片Ｐに対し圧着させ且つ停止させた状態で該転写面ＲＴａを通じて糊Ｔｂを紙片Ｐへ一定寸法で送り出す徐送機構Ｘとして機能するとともに、該徐送機構Ｘを作用させた徐送状態ｘとこの徐送状態ｘを解除した通常使用状態ｙとを転写面ＲＴａを介してテープ糊Ｔを紙片Ｐに接触させたままで選択的に切り換える切換機構Ｚとしても機能するものである。
【００１８】
なお、以下の説明において、位置若しくは方向を示す用語である「前」とは、転写具Ａの転写ヘッドＨが位置する側を指し、「後」とは転写具Ａの長手方向における転写ヘッドＨが位置する側の反対側を指す。すなわち、この「後」は糊Ｔを紙片Ｐに転写する際に紙片Ｐに対して転写具Ａが移動する方向であり、本発明に係る「転写方向」を併せて指しているものである。また、「前後方向」とは転写具Ａの長手方向を指す。また、「上」とは転写具における転写具本体１が位置する側を指し、「下」とは転写具Ａにおける転写対象物受け台２が位置する側を指す。
【００１９】
転写具本体１は、主として、テープ糊Ｔを保持する詰替カートリッジ３と、この詰替カートリッジ３を着脱可能に収容するケース４とを備えている。
【００２０】
詰替カートリッジ３は、図２に示すように、主として巻出用スプールＳＰ１及び巻取用スプールＳＰ２をそれぞれ回転可能に支持する内側板３１を用いて構成されたものであり、この内側板３１の前端部に転写ヘッドＨを回転可能に支持させている。
【００２１】
転写ヘッドＨは、テープ糊Ｔの紙片Ｐへの転写時に回転し得る転写ローラＲＴを有するものである。この転写ローラＲＴは、外部からの加えられた力によって若干弾性変形し得るクッション性材料により形成している。そして、内側板３１の前端近傍部位に、内側板３１と直交する方向に所定寸法延出させた直交片部３１１とこの直交片部３１１の先端部から内側板３１と略並行をなして延びる平行片部３１２とを一体に設け、この平行片部３１２の先端部及び平行片部３１２の先端部に対向する内側板３１の所定部位にそれぞれ形成した貫通孔に、転写ローラＲＴの回転支軸ＳＴの側端部をそれぞれ挿入することにより、転写ローラＲＴを回転支軸ＳＴを中心に回転可能に設定している。ここで、本実施実施において転写ヘッドＨの先端部とは、転写ローラＲＴのうち、転写時に紙片Ｐに接触し且つテープ糊Ｔを転写する部位である転写面ＲＴａの先端部を指す。この転写面ＲＴａは転写時に回転し得るものである。また、平行片部３１２の先端部及び平行片部３１２の先端部に対向する内側板３１の所定部位に、それぞれ外側方に向かって膨出させた筒状部３１２ｂ、３１ｄを設け、これら筒状部３１２ｂ、３１ｄを後述する各外側板４１、４３に設けた嵌合部４１９、４３７にそれぞれ嵌合可能に設定している。
【００２２】
他方、ケース４は、図２に示すように、主として転写具本体１の一方の外側壁となる第１外側板４１と、この第１外側板４１と対向し転写具本体１の他方の外側壁となる第２外側板４３とを備えたものである。
【００２３】
第１外側板４１は、前記内側板３１と同様に、例えば合成樹脂製の薄板状をなすものであり、本実施形態においてはコーナー部に丸みを帯びた側面視略方形状をなしている。この第１外側板４１の内側面に、前記巻出用スプールＳＰ１及び巻取用スプールＳＰ２を回転駆動するための巻出用ギアＧ１と、巻出用ギアＧ１より小径であり且つ巻出用ギアＧ１と噛合する巻取用ギアＧ２とを取り付けている。また、第１外側板４１の下周縁部の一部を非連続的に設定し、この部位に平面視略コ字状の固定部材４２を介して第２補助ローラＲ２ａを回動可能に取り付けている。この第２補助ローラＲ２ａは、転写ローラＲＴと同様クッション性材料により形成している。加えて、第１外側板４１に、第１外側板４１の下周縁部よりさらに下方に延出させてなる延出片４１７を一体に設けている。また、延出片４１７の後端部には、延出片４１７の延出方向と直交する方向に突出させてなる軸４１８を設けている。また、第１外側板４１の後縁部位の一部を前端側に窪ませてなる凹部４１Ａを形成し、凹部４１Ａに後述する第２外側板４３に設けた係合片４３ａが係合する係合孔４１ａを形成している。
【００２４】
一方、第２外側板４３は、前記第１外側板４１と同様に、例えば合成樹脂製の薄板状をなすもので、側面視形状を第１外側板４１の側面視形状に略対応するように設定しており、下端部略中央部に、第１外側板４１に設けた固定部材４２との干渉を回避すべく固定部材４２の側面視形状と略同形状の切欠き４３１を形成してある。第２外側板４３の内側面における前記詰替カートリッジ３の内側板３１の外側面が当接または近接し得る所定領域に、内側板３１の側面視形状に略対応させて他の領域より薄肉となるように外側面側に窪ませてなる嵌合凹部４３２を形成している。さらに、第１外側板４１に設けた嵌合部４１９と対応する位置、すなわち、第２外側板４３の前端部における下縁側に、外側方に向かって膨出させた嵌合部４３７を設けている。この嵌合部４３７は、前記詰替カートリッジ３の内側板３１に設けた筒状部３１ｄの内周及び外周に同時に嵌合する形状をなしている。また、第１外側板４１に形成した凹部４１Ａに対応させて第２外側板４３の後縁部位の一部にも前端側に窪まてなる凹部４３Ａを形成し、この凹部４３Ａに上述した係合孔４１ａに係合する係合片４３ａを設けている。
【００２５】
そして、このような構成を有する第１外側板４１と第２外側板４３とを一体的に組み付けるには、第１外側板４１の係合孔４１ａに第２外側板４３の係合片４３ａを係合させること等により行う。
【００２６】
他方、転写対象物受け台２は、主として、前記第１外側板４１の延出片４１７に設けた軸４１８を支持するように形成された軸受け部５１１を有するベース５と、ベース５に対して天秤動作可能に設定されたアーム部６とを備えたものである。
【００２７】
ベース５は、図２に示すように、前後巾寸法が、転写具本体１の前後巾寸法より若干小さく設定され、前後方向略中央部から前端部に亘る領域の高さ寸法を前後方向略中央部から後端部に亘る領域の高さ寸法より小さくなるように前後方向略略中央部に段部５Ｄを形成している。以下の説明においては、この段部５Ｄより後端部側の部位を後半部５１と称し、段部５Ｄより前端部側の部位を前半部５２と称す。後半部５１に、前記軸受け部５１１を形成している。この軸受け部５１１は、軸４１８の直径より僅かに大きな径をなす第１大径部５１１ａ及び第２大径部５１１ｂを前後方向に所定距離離間した部位に有するとともに、これら大径部５１１ａ、５１１ｂ同士を連通するように前後方向に延びる溝５１１ｃとを有する。溝５１１ｃは、軸４１８が挿通可能なものである。
【００２８】
アーム部６は、図２に示すように、ベース５の前半部５２に配設されるものであり、前後方向略中央部に、前記ベース５の前半部５２に設けた凸部が嵌まり込む嵌合孔を形成している。また、アーム部６の上面部に挿通空間ＡＳの開放側の側方へ延出させてなる図示しない延出面部を形成してもよく、それにより転写時にこの延出面部によって紙片Ｐを支持するとともに、紙片Ｐを挿通空間ＡＳに差し込み易くすることができるようになる。さらに、延出面部の上面に、紙片Ｐへの糊Ｔｂの転写開始位置を示す転写開始位置表示手段を設けてもよい。転写開始位置表示手段としては、延出面部の上面において、転写ローラＲＴの回転支軸ＳＴの延長線上に略沿って設けた転写スタート位置表示ラインと、この転写スタート位置表示ラインのすぐ後方に設けた載置要領表示とから構成したものが挙げられる。これら転写スタート位置表示ライン及び載置要領表示は何れも延出面部の上面を浅く刻印したものが好ましく、転写スタート表示ラインとしては一直線上の線を、載置要領表示としては紙片Ｐの形状をそれぞれ採用すればよい。なお、これら転写スタート表示ライン及び載置要領表示として、延出面部の上面に印刷したものとしたりシールを貼付したものを採用しても構わない。このようにすることで、使用者に対して確実な転写作業と間違いのない使用方向とを示唆するようにしている。また、アーム部６の前端部に、転写時に前記転写ローラＲＴと連動して回転し得る補助ローラＲ１を設けているとともに、アーム部６の後端部に、転写時に前記転写具本体１に設けた第２補助ローラＲ２ａと連動して回転し得る第２補助ローラＲ２ｂを設けている。具体的には、前記凸部と嵌合孔との嵌合部位を支点としてアーム部６がベース５に対して天秤動作可能な状態となっている。そして、アーム部６をベース５に対して略平行となるように位置させた場合、アーム部６の上縁とベース５の後半部５１の上縁とが略一致し得るように設定してある。
【００２９】
ここで、図４に示すように、ベース５の前半部５２には枢着軸５２３とスライド軸５２４を形成して補助ローラＲ１を所定の操作力により一定角度回転させ得る操作部７を取り付けている。この操作部７は補助ローラＲ１とともに後述する使用位置（Ｏ）において、補助ローラＲ１を反転写方向へ一定寸法移動させ、これに連動して転写ローラＲＴも反転写方向へ一定寸法移動させて転写ローラＲＴの転写面ＲＴａからテープ糊Ｔを引き出す結果糊Ｔｂを紙片Ｐへ一定寸法で送り出し得る本発明に係る徐送機構Ｘとして機能するように構成している。また、同じく操作部７は補助ローラＲ１とともに、徐送機構Ｘに依存してテープ糊Ｔを紙片Ｐへ一定寸法で送り出し得る徐送状態ｘと、この徐送状態ｘを解除して徐送機構Ｘに依存せずにテープ糊Ｔを紙片Ｐへ送り出し得る、言い換えれば操作部７に依存せずに転写ローラＲＴを反転写方向へ回動させ得る通常使用状態ｙとを転写具Ａの使用状態並びに操作部７の動作態様に応じて選択的に切り換える切換機構Ｚとしても機能するように構成している。
【００３０】
補助ローラＲ１は、操作部７付近の分解図である図４に示すように上述した構成に加え、紙片Ｐに当接し得る補助ローラ本体Ｒ１０と、該補助ローラ本体Ｒ１０と同軸に配され、共に回動するピニオンＲ１１とによって構成しているものである。ピニオンＲ１１は通常の歯車に比して、それぞれの係合歯Ｒ１１０が一方方向に偏向した形状で形成されており、係合歯Ｒ１１０のうち、ピニオンＲ１１を回転させる方向に向いているそれぞれの面を係合面Ｒ１１０ａとして後述する遊動係合子７２と係り合うようになっている（図４（ｂ））。
【００３１】
そして、操作部７は、操作レバー７１と、遊動係合子７２とにより構成されている。操作レバー７１は、その一端部たる基端側に枢着軸７１１を形成して上述したベース５に形成した枢着軸５２３及びピン５２３ａによって枢着されるとともに、他端部たる先端側に支持軸７１２（図４（ｃ））を設けて当該支持軸７１２により遊動係合子７２を支持している。また、この操作レバー７１を回動させるとき支持軸７１２並びに遊動係合子７２の軌跡は、ピニオンＲ１１の接線方向に略合致しており、先端側に支持されている遊動係合子７２がピニオンＲ１１の略接線上を移動し得るように設定されている。またこの操作レバー７１の基端側付近には、操作レバー７１を上方へ回動させた際に上述した延出片４１７に当接し弾性変形することにより下方へ操作レバー７１を回動させる力を蓄積する弾性変形部位７１３を形成している（図４（ｃ））。遊動係合子７２は、その上側前方にはピニオンＲ１１に係合し得るラック部分７２１を、上側後方には操作レバー７１に形成した支持軸７１２に支持される傾斜方向に延びる楕円孔である姿勢切換孔７２２を、さらに下側前方には上下方向に延びる長孔であってベース５に形成されたスライド軸５２４に上下方向にスライド可能に支持されるスライド孔７２３をそれぞれ形成している。ラック部分７２１は上述したピニオンＲ１１の係合面Ｒ１１０ａに当接し得る上方へ向いた伝達面７２１ａと、斜め下方向に向く傾斜面７２１ｂとにより形成される伝達歯７２１ｃを複数（本実施形態では一例として４本）有している（図４（ｄ））。また、姿勢切換孔７２２のうち、相対的に上方に位置する部分を係合位置７２２ａとし、係合位置７２２ａより斜め下方に位置する箇所を退避位置７２２ｂとして、操作レバー７１の支持軸７１２が係合位置７２２ａに位置するときにはラック部分７２１とピニオンＲ１１とが係合するようにピニオンＲ１１、操作レバー７１及び遊動係合子７２がそれぞれ設定されて組み付けられている。
【００３２】
このような構成をなす転写具本体１と転写対象物受け台２とを組み付けるには、先ず、転写具本体１の第１外側板４１に設けた軸４１８を、転写対象物受け台２のベース５に形成した軸受け部５１１に挿入する。具体的には、軸４１８を軸受け部５１１のうち後縁部側に形成した第２大径部５１１ｂに挿入し、この状態で軸４１８に形成したねじ孔に螺合するネジＶをねじ込み、転写対象物受け台２を転写具本体１に対して抜脱不能に一体的に組み付ける。なお、本実施形態においては、ネジＶとしていわゆるツマミ付ネジを用いており、ねじ合わせ作業の容易化を図っている。そして、この組付状態において、軸４１８と第２大径部５１１ｂとの枢着点を支点に、転写対象物受け台２が転写具本体１の転写ヘッドＨから所定距離離間した不使用位置（Ｐ）と、転写対象物受け台２が転写具本体１の転写ヘッドＨに当接又は近接した使用位置（Ｏ）との間で転写対象物受け台２を転写具本体１に対して回動可能に設定している。本実施形態においては、転写対象物受け台２が不使用位置（Ｐ）に位置する場合、転写対象物受け台２が、転写具本体１に対して所定角度（本実施形態では略１５度）をなしている（図５（ｂ）参照）。
【００３３】
しかして、転写対象物受け台２を使用位置（Ｏ）に位置付けた場合、転写具本体１の第１外側板４１に設けた延出片４１７が、転写対象物受け台２のアーム部６の一部に当接し（図５（ａ）参照）、転写具本体１と転写対象物受け台２とが所定距離以上接近することを規制する。また、使用位置（Ｏ）において、転写具本体１に設けた転写ローラＲＴと転写対象物受け台２に設けた補助ローラＲ１とが当接または近接した状態で対向するとともに、これら転写ローラＲＴと補助ローラＲ１との対向位置から転写方向に所定距離離れた位置において転写具本体１に設けた第２補助ローラＲ２ａと転写対象物受け台２に設けた第２補助ローラＲ２ｂとが当接または近接した状態で対向し、転写具本体１と転写対象物受け台２との間に紙片Ｐが挿通可能な挿通空間ＡＳが形成される。この場合、挿通空間ＡＳにおいて転写ローラＲＴの転写面ＲＴａと補助ローラＲ１の裏当て面Ｒ１ａとが当接または近接した状態で対向し、転写具本体１に設けた第２補助ローラＲ２ａの下縁部と転写対象物受け台２に設けた第２補助ローラＲ２ｂの上縁部とが当接または近接した状態で対向している。
【００３４】
次に、このような構成を有する転写具Ａの使用方法及びその作用について図５及び図５（ａ）に係るＢ−Ｂ断面図である図６を用いて説明する。
【００３５】
先ず、図５に示した状態において、転写具本体１の上側に例えば右手の親指を掛けるとともに、転写対象物受け台２にその他の指を掛けるようにして転写具Ａ全体を握るように持つ。その際、転写具本体１の延出片４１７が掌側に位置するように転写具Ａを持つ。そして、転写対象物受け台２を不使用位置（Ｐ）にした状態で、紙片Ｐの縁部Ｐａ（図６）が転写具本体１の延出片４１７に当接又は近接するように紙片Ｐと転写具Ａとを近付ける。次いで転写具Ａを強く握り、転写対象物受け台２を転写ヘッドＨに近付ける方向に握力を付与すると、転写対象物受け台２が転写具本体１に対して回転移動し使用位置（Ｏ）となる。この際、上述したように延出片４１７がアーム部６の一部に当接するとともに、転写ローラＲＴと補助ローラＲ１とが紙片Ｐを挟んだ状態で対向し、第２補助ローラＲ２ａ、Ｒ２ｂ同士が紙片Ｐを挟んだ状態で対向する。
【００３６】
そして、図５（ａ）に示したこの使用位置（Ｏ）において、補助ローラＲ１は転写ローラＲＴと連動し得る状態にあり、上述した操作部７が補助ローラＲ１を通じて転写ローラＲＴを回動させ得る状態である徐送状態ｘとなしている。そして徐送機構Ｘは、このように紙片Ｐに対して転写ローラＲＴを圧着させた状態から、操作レバー７１を例えば人差し指などで操作方向、すなわち上方に回動させることにより、図６に示すように、紙片Ｐを反転写方向へ一定寸法ずつ送り出して糊Ｔｂを紙片Ｐへ転写していくものである。
【００３７】
この使用状態（Ｏ）における操作部７の一連の動作態様について図７（ａ）、図７（ｂ）、図８（ａ）及び図８（ｂ）に模式的に示して詳述する。
【００３８】
まず、図７（ａ）は、使用位置（Ｏ）において、操作レバー７１を操作力を付与していない状態を示している。この状態において、操作レバー７１の弾性変形部位７１３の先端部７１３ａは、転写具本体１側の延出片４１７の所定箇所に接触した状態となっている。また、遊動係合子７２はこのとき、ラック部分７２１の伝達面７２１ａがピニオンＲ１１の係合面Ｒ１１０ａから僅かに離れた通常使用状態ｙとなっている。この状態において、遊動係合子７２は主にベース５のスライド軸５２４の上端によって支持されている状態であり操作レバー７１の支持軸７１２は姿勢切換孔７２２における退避位置７２２ｂに位置した退避姿勢ｙａとなっている。
【００３９】
そして、操作レバー７１を上方へ回動させると、図７（ｂ）に示すように、弾性変形部位７１３が弾性変形しながら操作レバー７１の先端側が上方へ移動することにより、支持軸７１２が主に遊動係合子７２を支持する状態となり、このとき、支持軸７１２は姿勢切換孔７２２における係合位置７２２ａに位置する。すなわち、このとき操作部７は通常使用状態ｙから徐送状態ｘへと切り換える本発明の切換機構Ｚとして機能している。そして係合位置７２２ａにおいて支持軸７１２に支持されることにより遊動係合子７２の上部がピニオンＲ１１に接する方向に傾斜してラック部分７２１の伝達歯７２１ｃがピニオンＲ１１の係合歯Ｒ１１０と係合した係合姿勢ｘａとなりながら上昇する。そして、ラック部分７２１の伝達面７２１ａとピニオンＲ１１の係合面Ｒ１１０ａとが接することによりラック部分７２１の上昇に連動してピニオンＲ１１が回動する、そして、操作レバー７１が動作終端、即ち上昇端へ到達すると、ラック部分７２１の最も下方に位置する伝達歯７２１ｃが係合歯Ｒ１１０と係合し終わった状態となる。すなわち、操作部７による一回の操作によりピニオンＲ１１を回動させる角度は伝達歯７２１ｃの歯数に応じてピニオンＲ１１の係合歯Ｒ１１０の４本分が回動する角度に設定されている。そしてこのとき、操作レバー７１は、弾性変形部位７１３により操作レバー７１の先端側を下方へ回動させる力を蓄積した状態となっている。
【００４０】
次に、操作レバー７１を上方へ回動させた状態において操作レバー７１を操作する操作力を解除すると、図８（ａ）に示すように弾性変形部位７１３の蓄積した弾性力によって操作レバー７１の先端側が下方へ回動する。このとき操作レバー７１の先端側に追従して遊動係合子７２も下方へ移動するが、このとき操作レバー７１の支持軸７１２が姿勢切換孔７２２の退避位置７２２ｂに位置することにより遊動係合子７２の上部がピニオンＲ１１より離間する方向へ傾斜した退避姿勢ｙａをとりながら下方へ移動する。このとき、ラック部分７２１の伝達歯７２１ｃとピニオンＲ１１の係合歯Ｒ１１０とは係合しない状態、すなわち通常使用状態ｙとなる。
【００４１】
一方、図８（ｂ）は操作レバー７１を動作終端に位置させた状態において、図示しない紙片Ｐを反転写方向へ移動させることにより転写ローラＲＴ及び補助ローラＲ１を反転写方向へ移動させた状態を示す。この状態においてピニオンＲ１１の係合歯Ｒ１１０がラック部分７２１に対して回動することにより係合歯Ｒ１１０の先端部Ｒ１１０ｂがラック部分７２１の傾斜面７２１ｂと当接すると、遊動係合子７２がピニオンＲ１１から斜め上方へ蹴り上げられた状態となって退避姿勢ｙａをとり、ピニオンＲ１１がラック部分７２１に対して空転する通常使用状態ｙとなる。また、操作レバー７１が動作終端になくとも、ラック部分７２１とピニオンＲ１１とが係合した係合姿勢ｘａから紙片Ｐを反転写方向へ移動させることにより補助ローラＲ１を回動させれば上述と同様に遊動係合子７２は退避姿勢をとる。つまり、本発明に係る切換機構Ｚは、操作部７を操作する一連の動作のうち、操作レバー７１を上方へ回動させている状態のみピニオンＲ１１を回動させ得る徐送機構Ｘを機能させた徐送状態ｘとし、操作レバー７１を下方に回動させた状態及び操作部７によらず補助ローラＲ１を回動させた状態では通常使用状態ｙとなるように、徐送状態ｘと通常使用状態ｙとを切り換える機能を有している。
【００４２】
このようにして、操作部７を繰り返し操作することにより転写具本体１と転写対象物受け台２との間に紙片Ｐを挟み込んだ状態（図５（ａ）参照）で転写ローラＲＴの転写面ＲＴａを紙片Ｐの表面に接触させて紙片Ｐを反転写方向に一定寸法ずつ徐々に移動させる。
【００４３】
また、上述した徐送機構Ｘに依存して紙片Ｐを反転写方向へ移動させる場合においても、通常使用状態ｙとして転写具Ａを転写方向へ移動させる場合においても、転写具Ａが転写方向へ糊Ｔｂを紙片Ｐに転写していく操作に伴って、補助ローラＲ１がその裏当て面Ｒ１ａを紙片Ｐの裏面に接触させながら転写ローラＲＴと連動して同期回転するとともに、一対の第２補助ローラＲ２ａ、Ｒ２ｂが紙片Ｐとの摩擦力により同期回転し、安定した転写作業を行うことができるように設定してある。そして、転写対象物受け台２のアーム部６をベース５に対して天秤動作可能に設定していることにより、アーム部６に設けた補助ローラＲ１及び第２補助ローラＲ２ｂが、転写具本体１に設けた転写ローラＲＴ及び第２補助ローラＲ２ａと適宜接離し、少なくとも補助ローラＲ１の裏当て面Ｒ１ａが転写時に紙片Ｐの裏面に接触するように設定している。また、補助ローラＲ１が天秤動作すると、ピニオンＲ１１も勿論天秤動作してしまい、該ピニオンＲ１１と操作部７との相対位置が若干ずれることとなるが、天秤動作の際に補助ローラＲ１が描く軌跡と操作レバー７１の先端側が描く軌跡とが近似するように設定しているため、操作レバー７１の先端側に支持される遊動係合子７２は常にピニオンＲ１１と係合し得る状態を維持することが可能となっている。なお、転写時には、転写面ＲＴａと紙片Ｐとの間に挟まれたテープ糊Ｔが摩擦力で巻出用ギアＧ１と共に回転する巻出用スプールＳＰ１から送り出され、テープ本体Ｔａの片面に貼着した糊Ｔｂが紙片Ｐに貼付されると同時に、巻出用ギアＧ１に伴って逆回転する巻取用ギアＧ２と共に巻取用スプールＳＰ２が回転することによって片面に糊Ｔｂを有しないテープ本体Ｔａが巻取用スプールＳＰ２に巻き取られることになる。そして、紙片Ｐにおける所望の領域を転写した後は、転写対象物受け台２を転写具本体１に近付ける方向への握力の付与を停止することによって、転写対象物受け台２が転写ヘッドＨから離間する方向に回転移動して不使用位置（Ｐ）となる（図５（ｂ）参照）。
【００４４】
一方、軸４１８を軸受け部５１１の第２大径部５１１ｂに位置させている場合、転写対象物受け台２が転写ヘッドＨの先端部を被覆し得る位置となっているが、この状態から軸受け部５１１の溝５１１ｃの延出方向に沿って軸４１８を第１大径部５１１ａに向かってスライド移動させると、図９に示すように転写対象物受け台２が転写ヘッドＨの先端部を表出させてなる転写ヘッド表出位置（Ｒ）となる。この状態で転写ヘッドＨを紙片Ｐに接触させて転写方向に転写具Ａを移動させることにより周知の転写具Ａと同様の使用態様で転写することができる。
【００４５】
以上のような構成とすることにより、本実施形態に係る転写具Ａは、使用状態（Ｏ）で転写面ＲＴａを通じて転写物たる糊Ｔｂを転写対象物たる紙片Ｐへ一定寸法で送り出す徐送機構Ｘと、該徐送機構Ｘを作用させた徐送状態ｘとこの徐送状態ｘを解除した前記通常使用状態ｙとを使用状態（Ｏ）のままで選択的に切り換える切換機構Ｚとを具備している。
【００４６】
このようなものとすることにより、徐送機構Ｘにより紙片Ｐに糊Ｔｂを一定寸法ずつ転写し得る徐送状態ｘと、従来の転写具と同様に任意の寸法糊Ｔｂを転写する態様、すなわち通常使用状態ｙとを切換機構Ｚにより連続的に切り換えることが可能となるので、徐送機構Ｘが機能し得る徐送状態ｘであっても、当該徐送状態ｘから通常使用状態ｙへと切換機構Ｚが使用状態（Ｏ）のままで選択的に切り換えるので、転写ヘッドＨの転写面ＲＴａを紙片Ｐから離すことなく糊Ｔｂを従来の転写具と同様に任意の寸法で転写する態様に任意に切換えることができる。さらに、従来の転写具では例えば転写対象物として薄い紙を用いた場合など、紙片Ｐの端部付近を手で押さえる力と転写具の転写面を所定の転写方向へ移動させる力によって、紙片Ｐを破ってしまう場合も考えられたが、本実施形態に係る転写具Ａであれば、徐送機構Ｘにより紙片Ｐに対して糊Ｔｂを一定寸法ずつ転写することができるので、紙片Ｐを破ってしまうことなく確実に糊Ｔｂを転写することができる。
【００４７】
また、本実施形態の転写具Ａには、転写ヘッドＨが転写時に回動し得る転写面ＲＴａを有する転写ローラＲＴを設けているので、転写面ＲＴａを転写方向へ移動させる際に紙片Ｐに加える力をより軽減させて円滑な転写を実現することができる。
【００４８】
そして、転写具Ａに、転写ヘッドＨの転写面ＲＴａに紙片Ｐを接触させた状態において紙片Ｐの裏面から当接する裏当て面Ｒ１ａを有する回動可能な補助ローラＲ１を設けているので、転写面ＲＴａへ紙片Ｐを適切に当接させて良好な転写性を得るとともに紙片Ｐを正確に反転写方向へ送ることができる。また、補助ローラＲ１を転写ヘッドＨの転写面ＲＴａに対向する位置に設けて紙片Ｐを表裏より圧迫した状態として反転写方向へ送り出す態様としているので、より良好な転写性を得ることができる。さらに、転写対象物受け台２が転写具本体１に対して回動可能に取り付けられていることと、転写ローラＲ１がアーム部６を介して取り付けられて天秤動作することで、裏当て面Ｒ１ａと転写面ＲＴａとを相対的に接離するように構成しているので、紙片Ｐの厚みに関らず好適に紙片Ｐを表裏より支持することができる。
【００４９】
また、転写具Ａに設けた徐送機構Ｘは、補助ローラＲ１を操作力により一定角度回動させて、紙片Ｐを反転写方向へ一定寸法移動させることにより転写ヘッドＨの転写面ＲＴａから転写物たる糊Ｔｂを引き出す結果糊Ｔｂを紙片Ｐへ一定寸法で送り出し得るものとしているので、徐送機構Ｘによって糊Ｔｂを転写するときに紙片Ｐに掛かる力を、紙片Ｐを厚み方向に圧迫する力と、紙片Ｐと転写面ＲＴａとの摩擦力と、紙片Ｐの裏面と裏当て面Ｒ１ａとの摩擦力のみとすることができる。そうすることにより、紙片Ｐに掛かる力をより望ましく軽減した状態で紙片Ｐを送り出すことができる。また、転写ローラＲＴが補助ローラＲ１と連動した状態である使用状態（Ｏ）の場合のみ徐送状態ｘと成り得る構成となり、転写ローラＲＴが補助ローラＲ１と連動しない場合に誤って徐送機構Ｘによって糊Ｔｂを転写してしまうという誤操作を有効に回避するものとしている。ここで、本実施形態において補助ローラＲ１を回動させる「一定角度」は、補助ローラ本体Ｒ１０とともに回動するピニオンＲ１１の係合歯Ｒ１１０を４本分回動させる角度に設定している。そして、切換機構Ｚを、上述した徐送機構Ｘに依存して補助ローラＲ１を一定角度回動させ得る徐送状態ｘと、徐送機構Ｘに依存せずに補助ローラＲ１が回動し得る通常使用状態ｙとを切り換えるように構成することにより、上述した徐送機構Ｘの動作をさらに確実なものとしている。
【００５０】
そして、転写具Ａは、転写対象物受け台２と前記転写具本体１との間に挿通空間ＡＳを形成し、該挿通空間ＡＳに内に少なくとも転写面ＲＴａが転写具本体１より表出するように転写ヘッドＨを配置するとともに、裏当て面Ｒ１ａを転写対象物受け台２より表出するように補助ローラＲ１を配置して、該挿通空間ＡＳに紙片Ｐを挿通させる構成として、転写面ＲＴａと裏当て面Ｒ１ａとでより安定して紙片Ｐを支持しつつ、紙片Ｐを反転写方向へ好適に移動させ得る構成としている。加えて、補助ローラＲ１を操作力により回動させ得る操作部７を転写対象物受け台２のベース５に設けることにより、様々な部品を内蔵し機構が複雑となりがちな転写具本体１に操作部７を設けることを有効に回避しているとともに、転写具Ａを手で握った状態において人差し指などで操作しやすい位置に操作部７を設定することを可能にしている。そして切換機構Ｚは、操作部７が補助ローラＲ１を一定角度回動させ得る徐送状態ｘと、操作部７に依存せずに補助ローラＲ１が回動し得る通常使用状態ｙとを切り換える構成としているので、操作部７の構成を付与するのみで徐送機構Ｘと切換機構Ｚとを具備した転写具Ａとすることを実現している。
【００５１】
そして、操作部７が補助ローラＲ１を回動させる具体的な構成として、補助ローラＲ１を、補助ローラ本体Ｒ１０とピニオンＲ１１とで構成することにより、簡易な構成により操作部７が確実に補助ローラＲ１を回動させる構成を実現している。また、操作部７は、操作レバー７１と、ラック部分７２１を形成した遊動係合子７２とで構成され、係合姿勢ｘａと退避姿勢ｙａとをとり得るように構成しているので、少ない部品点数で操作部７を構成することを実現している。そして操作レバー７１は、枢着孔７１１においてベース５に枢着され、他端部たる先端側に形成した支持軸７１２により遊動係合子７２を支持しているので、回動運動を利用することによって操作レバー７１は単純な構成で高い精度を実現しつつ操作部７を構成する部品点数を有効に少くしている。さらに、操作レバー７１の枢着孔７１１を中心とする遊動係合子７２が移動する回動方向がピニオンＲ１１の接線方向に略合致しているので、操作レバー７１の回動による操作部７の正確な動作を実現している。そして切換機構Ｚは、遊動係合子７２がピニオンＲ１１と係合する係合姿勢ｘａをとった徐送状態ｘと、遊動係合子７２が退避姿勢ｙａをとった通常使用状態ｙとを切り換えるものであるので、遊動係合子７２の姿勢を切り換えるのみで徐送状態ｘと通常使用状態ｙとを切り換える構成とすることにより、操作部７の動作を安定したものとしている。
【００５２】
そして、ピニオンＲ１１が補助ローラＲ１の裏当て面Ｒ１ａを反転写方向に回動させるべく操作レバー７１を所定の操作方向たる上方へ回動させる場合に遊動係合子７２が係合姿勢ｘａをとる一方、操作レバー７１を下方へ回動させる場合に遊動係合子７２が退避姿勢ｙａをとるように切換機構Ｚを構成しているので、操作レバー７１を下方に回動させる場合にピニオンＲ１１が連動して逆向きに回動してしまうという誤操作を有効に回避することができる。そしてその詳細の構成として、操作レバー７１の他端部たる先端側に遊動係合子７２を支持する支持軸７１２を設けるとともに遊動係合子７２に支持軸７１２に支持される姿勢切換孔７２２を形成し、姿勢切換孔７２２を長孔としてその一端側に係合位置７２２ａを設定するとともに他端側に退避位置７２２ｂを設定し操作レバー７１を上方へ回動させる場合に前記支持軸が係合位置７２２ａに位置することにより遊動係合子７２が係合姿勢ｘａをとるとともに、操作レバー７１を下方へ回動させる場合に前記支持軸７１２が退避位置７２２ｂに位置することにより遊動係合子７２が退避姿勢ｙａをとるように構成しているので、別途部品を加えることなく操作レバー７１に支持される孔の形状を工夫するのみで切換機構Ｚとして機能させることを実現している。
【００５３】
さらに、操作レバー７１に弾性変形部位７１３を形成しているので、操作レバー７１を上方へ操作する際には良好な弾力感即ち好適な操作感を与えるとともに、手指を操作レバー７１から離すと弾性変形部位７１３が弾性変形した状態から復元することにより操作レバー７１は下方へ回動するため、手指は単に操作レバー７１を上方へ回動させる動作をするのみで操作レバー７１繰り返し操作することができる。すなわち指１本で操作可能なものに設定することも可能である。
【００５４】
そして、遊動係合子７２が係合姿勢ｘａにある徐送状態ｘにおいて、伝達歯７２１ｃの伝達面７２１ａが係合歯Ｒ１１０の係合面Ｒ１１０ａに当接する方向へラック部分７２１の伝達歯７２１ａが動作した場合に遊動係合子７２が係合姿勢ｘａをとりながらピニオンＲ１１がラック部分７２１に連動して反転写方向へ回動するように徐送機構Ｘを構成し、さらに、この徐送状態ｘにおいてピニオンＲ１１の係合歯Ｒ１１０が動作して係合歯Ｒ１１０の先端部Ｒ１１０ｂが伝達歯７２１ｃの傾斜面７２１ｂに当接した場合に、ラック部分７２１とピニオンＲ１１とが離間して遊動係合子７２が係合姿勢ｘａから退避姿勢ｙａへと切り換わることによりピニオンＲ１１がラック部分７２１に対して空転する通常使用状態ｙへと切り換わるように切換機構Ｚを構成しているので、遊動係合子７２のラック部分７２１がピニオンＲ１１に係合した係合姿勢ｘａを構成しているときであっても好適に退避姿勢ｙａとして通常使用状態ｙへ切り換えることができる。また、このような機能をピニオンＲ１１及びラック部分７２１の形状を工夫するのみで、別体の部材を追加することなく実現している。
【００５５】
加えて、本実施形態に係る転写具Ａは、転写具本体１と転写対象物受け台２とを具備してなり、該転写対象物受け台２と前記転写具本体１との間に紙片Ｐを挿通可能な挿通空間ＡＳを形成し、該挿通空間ＡＳ内において転写面ＲＴａを紙片Ｐに対し停止させ且つ圧着させた状態で徐送機構Ｘを機能させているので、挿通空間ＡＳにおいて紙片Ｐを転写ヘッドＨと転写対象物受け台２との間に挟み込んで、例えば紙片Ｐを手で持った状態のままで徐送機構Ｘによって一定寸法ずつ連続的に転写することができる。
【００５６】
そして、本実施形態の変形例として、転写対象物受け台２に操作部８設けた態様を図１０に示す。
【００５７】
この操作部８は、転写対象物受け台２と回動軸を同じくする操作レバー８１と、遊動係合子８２により構成されており、操作レバー８１に設けた姿勢切換孔８１１に遊動係合子８２の両側方に設けた支持軸８２２をけんどん方式等によって取り付けて、操作レバー８１をベース５に下方より組み込んだ状態とするとともに該組み込んだ状態では支持軸８２２が姿勢切換孔８１１における係合位置８１１ａに位置するように遊動係合子８２の位置を設定し、該遊動係合子８２のラック部分８２１がピニオンＲ１１に係合する態様としている。また、紙片Ｐを反転写方向に移動させることにより、操作レバー８１の操作に依存せず補助ローラＲ１、即ちピニオンＲ１１を回転させるときはピニオンＲ１１とラック部分８２１との係合が解除され、遊動係合子８２は支持軸８２２が姿勢切換孔における退避位置８２２ｂへ移動するようになっているが、このとき遊動係合子８２に形成された弾性変形部８２３の先端部８２３ａが、操作レバー８１における当たり面８１２に当接することにより支持軸８２２を姿勢切換孔８１１における係合位置８１１ａへスライド移動させる方向の弾性を蓄積するものとなっている。
【００５８】
このようなものとすることにより、遊動係合子８２は操作レバー８１の操作に好適に追従し得るものとして安定して動作させることができるとともに、遊動係合子８２の支持軸８２２の位置を、必要に応じて姿勢切換孔８１１における係合位置８１１ａと退避位置８１１ｂとに好適に切り換え得るものとすることができる。
【００５９】
続いて、本発明の第二実施形態に係る転写具Ａについて図１１〜図１４を用いて説明する。
【００６０】
なお本実施形態において、上記実施形態と同様の構成要素については同様の符号を付し、詳細な説明を省略するものとする。
【００６１】
この転写具Ａは、図１に示すように、テープ糊Ｔやそれを送り出す送出機構部品を収容したケース４及びこのケース４を保持するとともにケース４に対して相対的に回動し得るように設けられた枠体４Ｗからなる転写具本体１と糊Ｔｂを転写する際に枠体４Ｗとの間に紙片Ｐを差し挟むための転写対象物受け台２と、当該転写対象物受け台２に対して回動可能に取り付けた操作レバー７１を有する操作部７とを主たる構成部品としている。また、転写対象物受け台２は、図１１〜図１３に示すように、紙片Ｐ（図示せず）を挿通させるために枠体４Ｗの下端との間に所定高さの挿通空間ＡＳを前後に亘って形成するものである。
【００６２】
ここで、本実施形態に係る転写具Ａは上記第一実施形態において詳述した徐送機構Ｘ並びに切換機構Ｚの他に、通常使用状態ｙにおいて操作部７を構成する遊動係合子７２のラック部分７２１と後述するピニオンＲ１１とを互いに接触し得ない距離に離間させる解除機構Ｓをさらに具備しているものである。
【００６３】
以下、転写具Ａの具体的な構造について詳述する。
【００６４】
転写具本体１は、ケース４及び枠体４Ｗを主たる構成要素としている。
【００６５】
ケース４は、概ね半割構造をなす詰め替えカートリッジ３とケース本体４０とで構成することとしている。また、詰め替えカートリッジ３の前端部に転写ヘッドＨを取り付けている。そして、消耗部品たるテープ糊Ｔと、テープ糊Ｔを紙片Ｐに供給するための送出機構部品の一部である巻き出しスプールＳＰ１、巻き取りスプールＳＰ２、転写ヘッドＨ等を交換部品として、当該詰め替えカートリッジ３に付帯させた状態で新品と交換するようにしている。そして、ケース本体４０は、通常は枠体４Ｗや転写対象物受け台２とは分離させない状態で詰め替えカートリッジ３のみを交換できるように構成されたものであり、テープ糊Ｔを紙片Ｐに供給するための送出機構部品の一部である非交換部品を保持している。
【００６６】
枠体４Ｗは、図１１に示すように、ケース４を保持して転写具Ａを使用可能な状態とする機能と、ケース４をケース本体４０と詰め替えカートリッジ３とに分解可能な状態とする機能とを兼ね備えたものである。具体的にこの枠体４Ｗは、上下に連続して開口する枠状をなすものであり、合成樹脂の一体成形品としているが、ケース４よりも厚肉で剛性の高いものを採用している。また、ケース本体４０を枠体に回動可能に支持している。なお、枠体４Ｗの下端部には転写対象物受け台２及び後述する操作レバー７１を回動可能に支持する軸４１８を有している。なお、枠体４Ｗの下方から転写ヘッドＨにおける転写ローラＲＴを表出させて、転写面ＲＴａを挿通空間ＡＳ内に位置付けている。
【００６７】
転写対象物受け台２は、図１１及び図１２に示すように、転写具本体１に対して回動可能に取り付けられ、転写具本体１とともに挿通空間ＡＳを形成するものである。
【００６８】
転写対象物受け台２は図１１に示すように、枠体４Ｗとの間に転写対象物たる紙片Ｐを差し挟んだ状態で糊Ｔｂを転写することができるようにするためのものであり、枠体４Ｗと共にケース４に対して回動し得るように構成されている。具体的にこの転写対象物受け台２は、図１１〜図１３に示すように、紙片Ｐを挿通させるために枠体４Ｗの下端との間に所定高さの挿通空間ＡＳを前後に亘って形成するものである。補助ローラＲ１は、その転写対象物受け台２の先端よりに位置付けられているものである、また、補助ローラＲ１は、挿通空間ＡＳに表出して、紙片Ｐの裏側から当接し得る裏当て面としている補助ローラ本体Ｒ１０と、該補助ローラ本体Ｒ１０と共に回動するピニオンＲ１１とを具備している。また、転写対象物受け台２の下面側において後述する遊動係合子７２のカム面たる切欠７２４と対向する位置には後述する付勢部たる突起２Ｔを形成している。
【００６９】
操作部７は、図１２に示すように、転写対象物受け台２の下側を略覆うように且つ転写具本体１の軸４１８に対して同軸に取り付けた操作レバー７１を主体とするものであり、転写対象物受け台２と操作レバー７１との間に形成される内部空間に、遊動係合子７２とコイルバネ７３とを収納している。なお、上述の補助ローラＲ１もこの内部空間に収納している。
【００７０】
操作レバー７１は、上述の通り転写対象物受け台２の下側を略覆うように取り付けられたものであり、転写対象物受け台に取り付けた際に形成された内部空間に遊動係合子７２を支持する遊動係合子支持部７１０を形成している。この遊動係合子支持部７１０は操作レバーの下側に形成された支持台７１４と、当該支持台７１４より上面視概略コの字状に起立する支持壁７１５とによって構成されているものである。支持台７１４は遊動係合子７２の下部に形成された後述する弾性変形部７２６の下面側に略接し得る形状をしたものである。また、支持壁７１５は遊動係合子７２の厚み方向から挟むように起立する一対の側壁７１５ａとこの側壁７１５ａ間に介在する後壁７１５ｂとを有しており、側壁７１５ａには遊動係合子７２の後述する支持軸７２５を前後方向に移動可能に収納する姿勢切換部たる姿勢切換孔７１６を形成している。なお、遊動係合子７２の支持軸７２５をこの姿勢切換孔７１６に支持させることにより、遊動係合子７２をピニオンＲ１１に係合する係合姿勢ｘａと、ピニオンに対して係合しない退避姿勢ｙａと、ピニオンＲ１１に対して接触し得ない距離にまで離間した解除姿勢ｓａとに姿勢変更することが可能となっている。
【００７１】
遊動係合子７２は、ピニオンＲ１１に接する位置に当該ピニオンＲ１１に係合して補助ローラＲ１の裏当て面Ｒ１ａを反転写方向へ回動させ得るラック部分７２１を形成している。そして、遊動係合子７２の中央部には上述の姿勢切換孔７１６に収納され得る支持軸７２５を遊動係合子７２の厚み方向に突出させることにより形成している。また、遊動係合子７２の下側には上述の支持台７１４に支持され得る突起状の弾性変形部７２６を形成しており、遊動係合子７２が退避姿勢ｙａ或いは解除姿勢ｓａをとった際に弾性変形部７２６が弾性変形することにより係合姿勢ｘａへ適宜復元させる作用を奏している。詳細に説明すると、弾性変形部７２６の先端部分はさらに下方へ突出させて形成しており、この突出部分を支持台７１４に当接させて弾性変形部７２６の先端側を若干持ち上げた状態で遊動係合子７２を載置することにより、遊動係合子７２全体を若干ピニオンＲ１１に対して傾斜させて当該ピニオンＲ１１に対して一定強度の弾性付勢力を予め付与しラック部分７２１がピニオンＲ１１に良好に係合し得る状態を実現している。一方、遊動係合子７２の上面側には上述の突起２Ｔに当接し得る側面視Ｖ字状のカム面たる切欠７２４を形成している。そして、このＶ字形状の切欠７２４における突起２Ｔに接し得る傾斜面を摺接面７２４ａとし、Ｖ字形状の底をなす部分を位置決め部７２４ｂとしている。なお、本実施形態においてラック部分７２１及びピニオンＲ１１は、上記第一実施形態と同様の形状を採用している。
【００７２】
コイルバネ７３は、転写対象物受け台２と操作レバー７１との間に挿入されるものであり、操作レバー７１と転写対象物受け台２との距離を離間させる方向に弾性付勢するものであるが、このような弾性付勢をなすものであれば、本実施形態のようなコイルバネ７３に限られることはなく、例えば板バネや弾性を有する他の部材を適宜取り付ける等、他の構造を採用したものであっても良い。
【００７３】
以上の構造のもとで、この転写具Ａは上記第一実施形態と同様に、操作レバー７１を回動させることにより遊動係合子７２がピニオンＲ１１と係合してピニオンＲ１１を一定角度回動させることにより紙片Ｐに一定寸法ずつ糊Ｔｂを転写する徐送状態ｘとする徐送機構Ｘと、当該徐送機構Ｘによる徐送状態ｘから、例えば手指により紙片Ｐを移動させた場合にピニオンＲ１の回動によって遊動係合子７２が移動して適宜徐送状態ｘを解除して通常使用状態ｙとする切換機構Ｚを構成している。
【００７４】
しかして、本実施形態に係る転写具Ａは上述した徐送機構Ｘ並びに切換機構Ｚに加えて、操作レバー７１の操作にともなって遊動係合子７２を、ピニオンＲ１１とラック部分７２１とが係合する係合姿勢ｘａからピニオンＲ１１とラック部分７２１とが離間した解除姿勢ｓａへと移動させることにより、通常使用状態ｙにおいてラック部分７２１とピニオンＲ１１とを互いに接触し得ない距離に離間させる解除機構Ｓをさらに具備しているものである。詳述すると、解除機構Ｓを、遊動係合子７２を係合姿勢ｘａと解除姿勢ｓａとをとり得るように移動可能に支持し得る遊動係合子支持機構Ｓ１と、操作レバー７１の回動動作を係合姿勢ｘａから解除姿勢ｓａへの退避動作に変換する動作力変換機構Ｓ２とによって構成している。さらに詳述すると、遊動係合子支持機構Ｓ１は遊動係合子７２の支持軸７２５及び弾性変形部７２６と、操作レバー７１に形成された遊動係合子支持部７１０とによって構成されるものであり、動作力変換機構Ｓ２は転写対象物受け台２に形成された突起２Ｔと遊動係合子７２に形成された切欠７２４とによって構成されるものである。
【００７５】
次に、図１２、図１３及び図１４を用いて操作レバー７１の一連の回動動作に伴う解除機構の動作について詳細に説明する。ここで図１４（ａ）〜図１４（ｅ）は図１２に示した状態から操作レバー７１を回動させて図１３に示した状態に至るまでの一連の動作を模式的に示すものである。
【００７６】
まず、図１４（ａ）に示す状態は、図１２と同様に操作レバー７１が当該操作レバー７１の回動範囲における回動始端ＲＳに位置する状態、例えば操作レバー７１に操作力が付与されていない状態を示す。この状態においてラック部分７２１の上部はピニオンＲ１１に接した係合姿勢ｘａをとっている。この状態から操作レバー７１を回動させ図１４（ｂ）に示す状態並びに図１４（ｃ）に示す状態ではピニオンＲ１１に対して遊動係合子７１が係合姿勢ｘａをとりながら操作レバー７１の動作に従って上昇することによりラック部分７２１がピニオンＲ１１を回転させることとなる。一方、遊動係合子７２の上部に形成された切欠７２４は転写対象物受け台２に形成された突起２Ｔに徐々に近接している。そして、操作レバー７１が回動終端ＲＥ付近まで回動させた図１４（ｄ）に示す状態では、切欠７２４における摺接面７２４ａの上端付近と突起部２Ｔの先端とが当接した状態となり、操作レバー７１の回動に伴って突起２Ｔの先端を摺接面７２４ａに沿って摺動させながらラック部分７２１がピニオンＲ１１に対して退避動作を行うこととなる。このとき、弾性変形部７２６は支持台７１４に略固定された状態で支持されているため弾性変形部７２６の、特に基端部分が弾性変形しながら支持軸７２５が姿勢切換孔７１６に沿って移動する。そして、図１４（ｅ）或いは図１３に示す操作レバー７１が操作力によって回動終端ＲＥに到達した状態では、突起２Ｔの先端が切欠７２４の底部に当たる位置決め部７２４ｂに当接することにより遊動係合子７２が解除姿勢ｓａに位置決めされる。この状態において遊動係合子７２は、ラック部分７２１がピニオンＲ１１に対して完全に離間して接触し得ない状態で位置決めされた状態となっている。言い換えれば、この解除姿勢ｓａにおいてラック部分７２１は、ピニオンＲ１１が回転する範囲より完全に退避した状態となっている。
【００７７】
一方（ｅ）及び図１３に示すような操作レバー７１を回動終端ＲＥに位置付けた状態から例えば使用者が握力を緩めるなどして作用力を解除すると、コイルバネ７３の弾性反発力が働き操作レバー７１は回動終端ＲＥから回動始端ＲＳへと復元する。そのとき位置決め部７２４ｂによって位置決めされた遊動係合子７２は突起２Ｔの先端が摺接面７２４ａに沿って摺動するように移動した後、切欠７２４が突起２Ｔから離間するとともに、遊動係合子における弾性変形部７２６の弾性反発力により支持軸７２５が姿勢切換孔７１６に沿って移動しながら遊動係合子７２は係合姿勢ｘａをとり図１４（ａ）並びに図１２に示す状態へと戻ることとなる。
【００７８】
以上のように、本発明の第二実施形態に係る転写具Ａは、ラック部分７２１とピニオンＲ１１とを互いに接触し得ない距離に離間させる解除機構Ｓを具備している。そのため、通常使用状態ｙにおいてピニオンＲ１１が回転する際にラック部分７２１に衝突することによって起こる衝突音の発生を有効に防止することが可能である。また、ラック部分７２１とピニオンＲ１１との衝突を回避することによりピニオンＲ１１と遊動係合子７２のラック部分７２１とが摩耗することを防止することができ、ひいては転写具Ａ自体の耐久性の向上に寄与するものとなっている。
【００７９】
また、解除機構Ｓが遊動係合子７２を移動させる構成を採用することにより、補助ローラＲ１及びピニオンＲ１１の設定を変更することなく、解除機構Ｓを好適に設定しているため、補助ローラの動作安定性を有効に確保している。
【００８０】
さらに、操作レバー７１の回動範囲のうち回動終端ＲＥ付近において遊動係合子７２を解除姿勢ｓａとするように構成しているので、操作レバー７１を動作させ徐送機構Ｘによる動作を行っている状態から格別な操作を必要とせずに簡便且つ好適に解除機構Ｓを作動させ得るものとなっている。
【００８１】
また、操作レバー７１を回動させた際に逆方向の弾性反発力を蓄積する弾性部材たるコイルバネ７３を取り付けているので、操作レバー７１を所望のタイミングで動作させて解除姿勢ｓａとし、また所望のタイミングで解除姿勢ｓａから係合姿勢ｘａとすることが可能である。
【００８２】
特に、解除機構Ｓを、遊動係合子７２を係合姿勢ｘａと解除姿勢ｓａとをとり得るように移動可能に支持し得る遊動係合子支持機構Ｓ１と、操作レバーを回動させる動作を、遊動係合子７２が係合姿勢ｘａから解除姿勢ｓａへの退避動作に変換する動作力変換機構Ｓ２とを具備している。このような構成とすることにより、遊動係合子７２を移動可能に支持する遊動係合子支持機構Ｓ１と、遊動係合子７２を係合姿勢ｘａと解除姿勢ｓａとに相互に移動させる動作力変換機構Ｓ２とを分離して構成しているため、遊動係合子７２が移動し得る移動範囲と遊動係合子７２を移動させるタイミングとをそれぞれ好適に設定した構造を実現している。
【００８３】
詳細には、遊動係合子支持機構Ｓ１を、支持軸７２５と、姿勢切換孔７１６とによって構成するといった簡素な構造を採用しながらも遊動係合子７２を正確に移動させ得るものとしている。また、遊動係合子７２が解除姿勢ｓａをとる際に係合姿勢ｘａへ復帰させる弾性反発力を蓄積する弾性変形部７２６を有しているため、遊動係合子７２を係合姿勢ｘａ及び解除姿勢ｓａに相互に好適に移動させ得るものとなっている。
【００８４】
一方、動作力変換機構Ｓ２を、遊動係合子７２に形成したカム面たる切欠７２４と、転写対象物受け台２の下面側における切欠７２４に対向する位置に形成した付勢部たる突起２Ｔによって構成することにより、操作レバー７１に付与される動作力を好適に遊動係合子７２の姿勢変更に変換するものとしている。加えて、簡素な構造で動作力変換機構Ｓ２を実現している。そして、このような構成とすることにより、遊動係合子７２の形状を適宜変更すれば、遊動係合子７２の姿勢変更動作の設定を行いやすいものとしている。そして、切欠７２４に位置決め部７２４ｂを形成して操作レバー７１の回動終端ＲＥにおいて好適に遊動係合子７２を解除姿勢ｓａに位置決めし得るものとしている。
【００８５】
以上、本発明の一実施形態について説明したが、本発明は上述した実施形態のみに限定されるものではない。
【００８６】
例えば、上記第一実施形態では転写対象物受け台２側に操作部７を設け、徐送機構Ｘ及び切換機構Ｚは、補助ローラＲ１に対して作用するものとしていたが、例えば、操作部７を転写具本体１側に設けるなどして転写ローラＲＴを外力により一定角度回動させる徐送機構Ｘを構成することにより、糊Ｔｂを紙片Ｐへ一定寸法で送り出し得るものとしてもよい。そのようなものであれば、紙片Ｐに掛かる力は、紙片Ｐを厚み方向に圧迫する力と、転写面ＲＴａと接する箇所に掛かる摩擦力のみとすることが紙片Ｐを破ることなく送り出すことができるとともに、転写対象物受け台２を具備しない転写具に対しても本発明を適用することができる。このような徐送機構Ｘを構成した場合の切換機構Ｚの望ましい態様として、切換機構Ｚが、徐送機構Ｘに依存して転写ローラＲＴを一定角度回動させ得る徐送状態ｘと、転写ローラＲＴが徐送機構Ｘに依存せずに回動し得る通常使用状態ｙとを切り換えるものであることが望ましい。
【００８７】
また例えば、上記第二実施形態では、ラック部分７２１を有する遊動係合子７２を移動させる構成としていたが、本発明に係る解除機構Ｓはラック部分７２１或いはピニオンＲ１１のどちらを移動させるものであるかを限定するものではなく、例えば両方を移動させるものであっても良い。さらに解除機構Ｓは、操作レバー７１の何れの動作範囲において解除姿勢ｓａとするものであっても良い。例えば操作レバーの動作範囲のうち回動始端ＲＳ付近において遊動係合子７２を解除姿勢ｓａへと移動させるものであっても良い。
【００８８】
さらに本発明において、補助ローラ或いは転写ローラを回動させる態様は直接的であるのか或いは間接なものであるのかを問わない。すなわち、補助ローラ或いは転写ローラを直接手指などで一定角度回動させ得る態様をも含むものである。また、上記実施形態では弾性変形部位を転写対象物受け台側の操作レバーに設け、転写具本体に接することにより機能するものとしていたが、弾性変形部位は操作レバーに当接する転写具本体側の所定箇所に設定するなど、転写具本体側に設定する態様や、操作レバー自体に設ける態様であってもよい。
【００８９】
その他、各部の具体的構成についても上記実施形態に限られるものではなく、本発明の趣旨を逸脱しない範囲で種々変形が可能である。
【産業上の利用可能性】
【００９０】
本発明は、転写物を転写対象面に転写する際に用いる転写具として利用することができる。
【符号の説明】
【００９１】
１  …転写具本体
２  …転写対象物受け台
２Ｔ…付勢部（突起）
７、８  …操作部
７１、８１…操作レバー
７１２、８２２…支持軸
７１３…弾性変形部位
７１６…姿勢切換部（姿勢切換孔）
７２、８２…遊動係合子
７２１、８２１…ラック部分
７２２、８１１…姿勢切換孔
７２２ａ、８１１ａ…係合位置
７２２ｂ、８１１ｂ…退避位置
７２１ａ…伝達面
７２１ｂ…傾斜面
７２１ｃ…伝達歯
７２４…カム面（切欠）
７２４ｂ…位置決め部
７２５…支持軸
７３…弾性部材（コイルバネ）
７２６、８２３…弾性変形部
Ａ  …転写具
ＡＳ…挿通空間
Ｈ  …転写ヘッド
ＲＴ…転写ローラ
ＲＴａ…転写面
Ｒ１…補助ローラ
Ｒ１ａ…裏当て面
Ｒ１０…補助ローラ本体
Ｒ１１…ピニオン
Ｒ１１０…係合歯
Ｒ１１０ａ…係合面
Ｒ１１０ｂ…先端部
ＲＥ…回動終端
Ｓ  …解除機構
ｓａ…解除姿勢
Ｓ１…遊動係合子支持機構
Ｓ２…動作力変換機構
Ｔｂ…転写物（糊）
Ｐ  …転写対象物（紙片）
Ｘ  …徐送機構
ｘ  …徐送状態
ｘａ…係合姿勢
Ｚ  …切換機構
ｙａ…退避姿勢
ｙ  …通常使用状態